(57)【要約】      （修正有）【課題】インビボ使用の間に、使用者またはシステムによってセンサ較正を行う必要がない、持続検体モニタリング・システムで使用するためのインビボセンサを提供する。【解決手段】１つまたは複数の検体センサロットの製造の間に、（例えば、経験的に、統計的にまたは理論的に）決定され、かつ、例えば、製造した１つ以上のセンサロットについてメモリまたは適切な記憶装置に記録された（および／またはロット自体のセンサにコードされた）１つ以上のロットに配置された、例えば装置感度などの較正因子またはパラメータを含む。較正因子は、間質液に由来する、それらから得られた検体データ（例えば、センサから得られた、アンペアで測定された電流信号）を血糖値データ（例えばｍｇ／ｄＬ単位）に適合させることを含め、センサを標準値に適合させるために、センサが活性な検体のモニタリングのために使用者の体内に配置される際に、装置によって使用されうる。【選択図】なし【特許請求の範囲】
【請求項１】
検体センサであって、
間質液との流体接触用に構成された遠位部を有する基板；
前記基板の遠位部上に１つ以上のストリップで形成された導電層；
前記導電層上に形成された誘電体層；および
最長で３日〜３０日である検体センサの使用期間中に間質液と流体接触し続けたときにモニターされる検体レベルに対応する１つ以上の信号を検体センサが発生するように１つ以上の所定の再現可能なパラメータを有する検体センサ活性領域を画成するために前記導電層上に形成されたセンシング層であって、前記導電層の１つ以上のストリップに直交する１つ以上のストリップで形成され、前記導電層の遠位部の面積と少なくとも同等の大きさである表面積を有する、センシング層；
を備え、
前記発生される１つ以上の信号は、該信号に適用される所定の較正パラメータに基づき、モニターされる検体レベルと関連付けられ、該所定の較正パラメータは検体センサの使用期間の前に該検体センサと関連付けられ、さらに
発生される１つ以上の信号は、検体センサの使用期間中に検体センサによってモニターされる検体レベルを報告するのに、検体センサの使用期間中に得られるインビトロ基準測定値に基づく較正の使用なしに処理される、検体センサ。
【請求項２】
前記センシング層上に形成された膜層をさらに備えた、請求項１記載の検体センサ。
【請求項３】
前記膜層が均一な厚さを有する、請求項２記載の検体センサ。
【請求項４】
前記センシング層をその上に有する前記導電層が、 作用電極の少なくとも一部を画成する、請求項１記載の検体センサ。
【請求項５】
前記導電層が、ガラス状炭素、グラファイト、銀、塩化銀、白金、パラジウム、白金イリジウム、チタニウム、金、またはイリジウムのうち１種類以上を含む、請求項１記載の検体センサ。
【請求項６】
前記誘電体層が、光画像形成性のポリマー材料を含む、請求項１記載の検体センサ。
【請求項７】
前記誘電体層が、前記導電層上および前記基板の少なくとも一部の上に形成された光画像形成性のフィルムを含む、請求項１記載の検体センサ。
【請求項８】
前記膜層が、前記センシング層上に形成された、グルコース流制限層、干渉物質除去層または生体適合層のうち１つ以上を含む、請求項２記載の検体センサ。
【請求項９】
前記導電層上に形成された前記センシング層の表面積が、０．０１ｍｍ2〜１．０ｍｍ2である、請求項１記載の検体センサ。
【請求項１０】
前記導電層上に形成された前記センシング層の表面積が、０．０４ｍｍ2〜０．３６ｍｍ2である、請求項１記載の検体センサ。
【請求項１１】
受信機と通信するためのセンサ電子機器、および検体センサを含むシステムであって、
前記検体センサが、
最長で３日〜３０日である検体センサの使用期間中の間質液との流体接触用に構成された遠位部を有する基板；
前記基板の遠位部上に１つ以上のストリップで形成された導電層；および
検体センサの使用期間中にモニターされる検体レベルに対応する１つ以上の信号を検体センサが発生するように１つ以上の所定の再現可能なパラメータを有する検体センサ活性領域を画成するために前記導電層上に形成されたセンシング層であって、前記導電層の１つ以上のストリップに直交する１つ以上のストリップで形成され、前記導電層の遠位部の面積と少なくとも同等の大きさである表面積を有する、センシング層
を備え、
前記発生される１つ以上の信号は、該信号に適用される所定の較正パラメータに基づき、モニターされる検体レベルと関連付けられ、該所定の較正パラメータは検体センサの使用期間の前に該検体センサと関連づけられ、さらに
前記発生される１つ以上の信号は、検体センサの使用期間中に検体センサによってモニターされる検体レベルを報告するのに、検体センサの使用期間中に得られるインビトロ基準測定値に基づく較正の使用なしに処理される、システム。
【請求項１２】
前記検体センサの導電層上に形成されたセンシング層の表面領域が、検体センサの使用期間中の間質液との流体接触用に構成されている検体センサの作用電極の少なくとも一部を画成する、請求項１１記載のシステム。
【請求項１３】
前記検体センサのセンシング層上に形成された膜層をさらに備えた、請求項１１記載のシステム。
【請求項１４】
前記検体センサのセンシング層上に形成された膜層が均一な厚さを有する、請求項１３記載のシステム。
【請求項１５】
前記検体センサのセンシング層上に形成された膜層が、前記センシング層上に形成された、グルコース流制限層、干渉物質除去層または生体適合層のうち１つ以上を含む、請求項１３記載のシステム。
【請求項１６】
前記導電層の表面積が、０．０１ｍｍ２〜１．０ｍｍ２である、請求項９記載の検体センサ。
【請求項１７】
前記検体センサの導電層の表面積が、０．０１ｍｍ２〜１．０ｍｍ２である、請求項１１記載のシステム。
【請求項１８】
前記検体センサの導電層上に形成されたセンシング層の表面積が、０．０１ｍｍ2〜１．０ｍｍ2である、請求項１７記載のシステム。
【請求項１９】
前記検体センサ活性領域の１つ以上の所定の再現可能なパラメータが、検体センサの膜ポリマーの粘度、透過性、厚さまたは組成特性、酵素安定性を含む検体センサの酵素特性、あるいは検体センサの生体適合性のうちの１つ以上に基づく、請求項１記載の検体センサ。
【請求項２０】
前記所定の較正パラメータは、検体センサと関連づけられかつ検体センサの製造中に決定されるセンサ感度を含む、請求項１記載の検体センサ。
【請求項２１】
該検体センサが、前記センシング層上に形成された膜層をさらに備え、前記センサ感度が、前記膜層の厚さに反比例し、かつ検体センサ活性領域の面積に比例する、請求項２０記載の検体センサ。
【請求項２２】
前記センサ感度が、検体センサ製造中に、同じ検体センサロット中の複数のサンプリングされた検体センサから決定される平均センサ感度である、請求項２０記載の検体センサ。
【請求項２３】
センサ感度に関連する所定のドリフトプロファイルが、検体センサと関連付けられる、請求項２０記載の検体センサ。
【請求項２４】
前記所定のドリフトプロファイルが、センサの使用期間中にモニターされる検体レベルを報告するために、前記発生する１つ以上の信号に適用される、請求項２３記載の検体センサ。
【請求項２５】
前記検体センサ活性領域の１つ以上の所定の再現可能なパラメータが、検体センサの膜ポリマーの粘度、透過性、厚さまたは組成特性、酵素安定性を含む検体センサの酵素特性、あるいは検体センサの生体適合性のうちの１つ以上に基づく、請求項１１記載のシステム。
【請求項２６】
前記所定の較正パラメータは、検体センサと関連付けられかつ検体センサ製造中に決定されるセンサ感度を含む、請求項１１記載のシステム。
【請求項２７】
前記検体センサのセンシング層上に形成された膜層をさらに備え、前記センサ感度が、前記膜層の厚さに反比例し、かつ検体センサ活性領域の面積に比例する、請求項２６記載のシステム。
【請求項２８】
前記センサ感度が、検体センサ製造中に、同じ検体センサロット中の複数のサンプリングされた検体センサから決定される平均センサ感度である、請求項２６記載のシステム。
【請求項２９】
センサ感度に関連する所定のドリフトプロファイルが、検体センサと関連付けられる、請求項２６記載のシステム。
【請求項３０】
前記事前に定義されるドリフトプロファイルが、センサの使用期間中にモニターされる検体レベルを報告するために、前記発生する１つ以上の信号に適用される、請求項２９記載のシステム。
【発明の詳細な説明】
【関連出願の相互参照】
【０００１】
本願は、「検体測定センサおよびその製造方法（Analyte Measurement Sensors and Methods for Fabricating the Same）」という発明の名称で２００９年２月２６日に出願した米国仮特許出願第６１／１５５，８８９号、「検体測定センサおよびその製造方法（Analyte Measurement Sensors and Methods for Fabricating the Same）」という発明の名称で２００９年２月２６日に出願した第６１／１５５，８９１号、「検体測定センサおよびその製造方法（Analyte Measurement Sensors and Methods for Fabricating the Same）」という発明の名称で２００９年２月２６日に出願した第６１／１５５，８９３号、「検体測定センサおよびその製造方法（Analyte Measurement Sensors and Methods for Fabricating the Same）」という発明の名称で２００９年３月３１日に出願した第６１／１６５，４９９号、「検体測定センサおよびその製造方法（Analyte Measurement Sensors and Methods for Fabricating the Same）」という発明の名称で２００９年８月３１日に出願した第６１／２３８，４６１号、および「持続検体測定システムとともに使用するための埋入可能な検体センサおよびその包装方法（Implantable Analyte Sensors for Use with Continuous Analyte Measurement Systems and Methods for Packaging the Sensors）」という発明の名称で２００９年１２月２９日に出願した第６１／２９０，８４７号の優先権を主張し、その各開示は、すべての目的で、その全体を参照することにより、取り込まれる。
【技術分野】
【０００２】
本発明は、持続検体モニタリングに関する。さらに具体的には、本発明は、インビボ利用の間に使用者が較正をする必要がないインビボセンサを備えた、持続検体モニタリングを提供するための方法およびシステムに関する。
【背景技術】
【０００３】
持続血糖モニタリング（ＣＧＭ）システムは、典型的には、被験体の血糖値モニタリングの包括的な概念を提供する。１型または２型の糖尿病と診断された患者にとって、このようなシステムの利点は明白である。市販のＣＧＭシステムは、典型的には、数日間から約１週間に及ぶ期間にわたり、経皮的に、または皮膚を通して刺入したグルコースセンサを使用し、その間、潜在的な血糖エクスカーションを調節する目的で、即時の血糖値情報がモニタリングされ、患者に任意の必要な補正処置を取らせる。典型的なグルコースセンサは、バッチまたはロットで製造され、各使用（意図される３日間、５日間、７日間または幾らかの他の所定の期間）の後、廃棄され、新しいセンサと交換される。
【０００４】
さらには、現存するＣＧＭシステムは、指先に針を刺して採血する検査法（finger prick test）を行って血中グルコース濃度を決定し、決定された濃度情報を用いて定期的にセンサ較正を修正することを包含する、グルコースセンサの定期的な較正を必要とし、とりわけ、製造したセンサ間の感度変動、および経時によるセンサの安定性のドリフトを保証しなければならない。センサ較正のための頻繁なインビトロ血糖検査は、それに関連する実際に感知される痛みに加えて、患者にとって不便である。
【発明の概要】
【発明が解決しようとする課題】
【０００５】
したがって、インビボ使用の間に、使用者またはシステムによってセンサ較正を行う必要がない、持続検体モニタリング・システムで使用するためのインビボセンサを提供することは望ましいであろう。
【課題を解決するための手段】
【０００６】
改善されたインビボ検体センサ、改善されたセンサの製造方法、および改善されたセンサの使用方法を提供する。実施の形態は、使用者による装置のインビボ配置の後、使用者が較正する必要がない検体モニタリングを提供する、例えば、血糖値モニタリング装置などのインビボ検体モニタリング装置、方法、システム、製造プロセス、および製造後の保管プロセスなどの製造後のプロセスを含む。
【０００７】
装置の全寿命期間にわたって臨床的に有意な量を超えて変化しない、および／または、予測可能な安定性プロファイルおよび／または感度を有する、安定性プロファイルおよび／または感度プロファイルを示す装置および方法の実施の形態が提供される。
【０００８】
実施の形態は、製造プロセスを含む。例えば、実施の形態は、１つまたは複数の検体センサロットの製造の間に、（例えば、経験的に、統計的にまたは理論的に）決定され、かつ、例えば、製造した１つ以上のセンサロットについてメモリまたは適切な記憶装置に記録された（および／またはロット自体のセンサにコードされた）１つ以上のロットに配置された、例えば装置感度などの較正因子またはパラメータを含む。較正因子は、間質液に由来する、それらから得られた検体データ（例えば、センサから得られた、アンペアで測定された電流信号）を血糖値データ（例えばｍｇ／ｄＬ単位）に適合させることを含め、センサを標準値に適合させるために、センサが活性な検体のモニタリングのために使用者の体内に配置される際に、装置によって使用されうる。例えば、実施の形態は、与えられた同一および／または異なるロットに由来するセンサを含み、かつ、同一の較正因子が使用され、その較正因子は、例えば、前のロットに由来する履歴データを使用して、所定のセンサロットの製造前に決定される。
【０００９】
実施の形態は、センサロットおよびそれに由来するセンサを含み、ここで、センサは、同一および／または異なる製造ロットが割り当てられ、かつ、同一の較正因子が使用され、その較正因子は、所定のロットのすべてを含めた１つ以上の製造に対して実質的に同時期に、例えば製造に関して即時に、決定される。
【００１０】
実施の形態は、センサロット内および／またはセンサロット間のセンサ感度変動係数（ＣＶ）が極めて低いセンサ製造ロットを含む。例えば、ＣＶは、約５％以下であり、例えば、約３％以下、例えば、約２％以下、例えば、約１％以下である。ある特定の実施の形態では、極めて低いＣＶは、少なくとも１つ以上の堅牢な製造プロセスによって達成される。
【００１１】
使用者による較正の必要がない検体モニタリング装置および方法はまた、センサの全寿命期間にわたり、所定の使用者における、極めて高いセンサ安定性を有する実施の形態も含む。例えば、使用者におけるセンサ安定性プロファイルは、センサ寿命にわたり、臨床的および／または統計的に有意な量を超えて変動しない。例えば 安定性は、約５％を上回って変動しなくてもよく、例えば、約３％以下、例えば、約２％以下、例えば、約１％以下である。
【００１２】
上述のように、実施の形態は、製造ロット内および／または製造ロット間の、流束限界膜（flux limiting membrane）の厚さにおける極めて低い変動性／高い正確さを有するインビボ検体モニタリング装置を含む。製造技術および方法は、センサの製造ロットまたはバッチ内のセンサ間の感度の変動係数（ＣＶ）が約５％以下、例えば３％以下、例えば約２％以下、例えば約１％以下になるように、制御された、実質的に均一な膜厚を有する、センサ作用電極の再現可能な活性センシング領域を提供する。
【００１３】
実施の形態は、例えば、製造ロットまたはバッチにわたるセンサ感度を制御するため、例えばセンサ作用電極の領域および／または膜厚の制御を提供する、インビボ製造技術および方法を含む。作用電極表面（例えば、活性なセンシング領域）におけるグルコース濃度は膜の厚さに比例し、感度は作用電極の面積に比例することから、センサの作用電極の膜厚および領域（例えば、活性領域）の選択的および正確な制御により、使用者またはＣＧＭシステムによる較正を必要としないセンサが製造されうる。
【００１４】
加えて、本開示のさらなる態様では、潜在的な生物付着または疑わしい生物付着が最小限になり、インビボ較正を必要とするようなセンサのインビボ安定性への悪影響を与えないように、検体センサのグルコース限界膜は、インビボに位置付ける、または配置する場合に、生物的適合性を提供する。例えば、検体センサは、１つの実施の形態では、約２％〜約３％以下の変動、例えば、約１％〜約２％以下の変動を示し、あるいは、さらなる態様では、インビボ使用の間に、センサのセンシング期間（例えば、３日間、５日間、７日間、１４日間以上）にわたり、インビボセンサ感度安定性において約１％未満の変動しか示さず、使用者またはシステムに基づく較正を必要としないであろう。
【００１５】
実施の形態は、センシング化学がセンサの作用電極にもたらされる、検体センサの再現可能な活性領域（active region）を含む。作用領域は、約０．０１ｍｍ2〜約１．５ｍｍ2以下の寸法範囲、例えば、約０．００２５ｍｍ2〜約１．０ｍｍ2以下、または例えば、約０．０５ｍｍ2〜約０．１ｍｍ2以下の寸法範囲を有しうる。実施の形態はまた、空隙またはウェルを備えたセンサの再現可能な活性領域を含む。活性領域の空隙／ウェルは、約０．０１ｍｍ2〜約１．０ｍｍ2の寸法範囲、または例えば、約０．０４ｍｍ2〜約０．３６ｍｍ2の寸法範囲を有していてもよい。空隙／ウェルの寸法は、センサの活性領域の形状（したがって、大きさ）を、少なくとも部分的に画成する。空隙／ウェルの形状は、同一の所望の体積および／または表面積を達成するように変動させて差し支えない。例えば、空隙／ウェルの高さは、徐々に増加または減少しうる。加えて、空隙／ウェルの表面積は、先細りになるように、または例えば、三角形の形状、楕円形の形状などを含めた、他の変化をするように成形されうる。
【００１６】
実施の形態は、センサ遠位部の正確な寸法を備えた、再現可能なセンサ構成をさらに含む。センサの導電層の幅は、センサ遠位部の基板の幅の影響を受けうる。センサの活性領域は、約０．００２５ｍｍ2〜約３ｍｍ2の範囲、例えば、約０．０１ｍｍ2〜約０．９ｍｍ2の範囲でありうる。
【００１７】
実施の形態は、実質的に一定の幅を有し、互いに直角（例えば、センシング層と導電層が直交の関係性）であることを条件とした、例えば、ストリップなどの形態のセンシングおよび導電層を備え、センサ遠位部の長さおよび幅に沿って実質的に一定の活性領域を形成する、検体センサをさらに含む。
【００１８】
さらには、実施の形態はまた、臨床的に有意でないＣＶを有し、使用者が開始する、またはＣＧＭシステムに基づいた較正を必要とせずに、インビボセンサの耐用年数の間に正確な即時の血糖値モニタリングを報告する、センサの所望の活性領域を正確に画成し再生するために、センサ本体から過剰または望ましくない材料を除去、トリミング、修正、またはアブレーション処理する、例えば、レーザーアブレーション法などの正確なレーザー工程を含む。
【００１９】
実施の形態は、例えば、保管の間のセンサ安定性の低下を最小限に抑えるために、インビボ使用前に包装したセンサに、制御された、および／または最小限の悪い環境影響しか有さないセンサ包装を含む、製造後およびインビボ使用前の貯蔵技術をさらに含む。例えば、実施の形態は、水蒸気透過率（ＭＶＴＲ）を約０．５ｍｇ／日以下、例えば、約０．４６ｍｇ／日以下、例えば、約０．４ｍｇ／日以下に維持するセンサ包装技術を含む。乾燥剤材料は、センサの保管寿命の間（例えば、約０〜約２４ヶ月、例えば、０〜約１８ヶ月）に、実質的に安定な環境を維持するために、センサ包装上、内、内部、またはセンサ包装とともに提供されうる。
【００２０】
実施の形態は、予測可能な、かつ安定なインビボセンサ感度を提供し、インビボ使用の間にセンサ較正を行う必要性または要件を排除する、すなわち、この間に使用者および／またはＣＧＭシステムによる較正をしなくてよい、インビボ応答における被験体内、および被験体間の変動を補償する方法が提供される、インビボグルコースセンサを含む。
【００２１】
実施の形態は、工場補正を必要とせず、さらに、使用者またはシステムが行うまたは実行するセンサ較正を要件としないインビボセンサをさらに含む。すなわち、ある特定の態様では、製造したインビボセンサは、製造後およびインビボ使用の間の実質的に安定な感度プロファイルを含む特性を示す。例えば、インビボセンサの使用の間に存在しうる酸素、アセトアミノフェンまたはアスコルビン酸などの干渉物は、センサの明確に定義された、再現可能な活性領域、センサの幾何学的形状、およびセンサ保管寿命の間の緊密に制御された製造後の環境に加えて、センサ膜材料（例えば、低酸素透過性を有する膜）、センシング化学（例えば、酸素などの干渉物による影響を最小限にしか有しないように設計または選択する）の注意深い選択によって最小限に抑えられうる。
【００２２】
例えば、各被験体について演繹的に決定され、かつ、使用の間にインビボセンサから受信した信号に適用された安定性プロファイルに基づいて、センサ感度がインビボ使用の間に補償または修正されるように、フィードバック・アルゴリズムは、ＣＧＭシステムにおいてプログラム化されるか、またはプログラム可能であって差し支えなく、それによって、各インビボ環境間（例えば、インビボセンサを使用する各被験体間）の血中グルコース濃度に対する、間質における変動を提供または補償する。このようなアルゴリズムまたはルーチンは、事前のインビボセンサフィードバック信号に基づいて生成または決定されて差し支えなく、ＣＧＭシステムにおいてプログラム化されるかまたはプログラム可能（およびその後に修正可能）であり、インビボ使用の間にセンサから受信する信号に適用されうる。
【００２３】
上述した方法では、本開示の実施の形態は、例えば、限定はしないが、使用者が開始する、または使用者ベースの較正の必要のない、システムベースの較正の必要のない、工場ベースの較正の必要のない、システムのみが較正を行う必要がある（例えば、１つ以上の較正ルーチンを自動的に行うまたは実行する）、または、センサのインビボ使用の間に、センサ寿命にわたり、単一の使用者が開始する較正または感度確認のみを必要とする、インビボセンサ、ならびに、インビボセンサを採用し、それを製造および包装する、ＣＧＭシステムを提供する。
【００２４】
本開示のさまざまな態様、特徴および実施の形態の詳細な説明は、以下に簡潔に説明する添付の図面に関して本明細書に提供される。図面は実例であって、必ずしも縮尺にしたがっておらず、一部の構成要素および特徴は明確性の目的で誇張されている。図面は本開示のさまざまな態様または特徴を例証しており、本開示の１つ以上の実施の形態または実施例の全体または一部を例証している場合がある。特定の構成要素または特徴を参照するために１つの図面において用いられる参照番号、文字、および／または記号は、別の図面において、同様の構成要素または特徴を参照するために使用される場合がある。
【図面の簡単な説明】
【００２５】
【図１】本開示の１つの態様に従った検体センサの平面図。
【図２】本開示の別の態様に従った検体センサの平面図。
【図３】１つの態様におけるインビボ使用の間の間質液と流体接触（fluid contact）する図１の検体センサの尾部または遠位末端の平面図（Ａ）；１つの態様における図３Ａに示す遠位末端における、検体センサの線Ｂにおける側面断面図（Ｂ）。
【図４】本開示の別の実施の形態に従った検体センサの構成。
【図５】１つの態様における検体センサの平面図（Ａ）および断面図（Ｂ）。
【図６】別の態様における検体センサの平面図（Ａ）および断面図（Ｂ）。
【図７】さらに別の態様における検体センサの平面図（Ａ）および断面図（Ｂ）。
【図８】さらに別の態様における検体センサの平面図（Ａ）および断面図（Ｂ）。
【図９】１つの態様に従った両面のある検体センサの上面図（Ａ）、底面図（Ｂ）および断面側面図（Ｃ）。
【図１０】１つの態様に従った両面のある検体センサの上面図（Ａ）、底面図（Ｂ）および断面側面図（Ｃ）。
【図１１】１つの態様に従ったセンサのセンシング層のレーザー・トリミングの前の検体センサの上面図（Ａ）、断面側面図（Ｂ）および端面図（Ｃ）。
【図１２】１つの態様に従ったセンサのセンシング層のレーザー・トリミング後の図１１Ａ〜１１Ｃの検体センサの上面図（Ａ）、断面側面図（Ｂ）および端面図（Ｃ）。
【図１３】別の態様に従ったセンサのセンシング層および作用電極層のレーザー・トリミング前の検体センサの上面図（Ａ）、断面側面図（Ｂ）および端面図（Ｃ）。
【図１４】別の態様に従ったセンサのセンシング層および作用電極層のレーザー・トリミング後の図１３Ａ〜１３Ｃの検体センサの上面図（Ａ）、断面側面図（Ｂ）および端面図（Ｃ）。
【図１５】センサのセンシング層および作用電極層さらに別の態様におけるセンサのセンシング層および作用電極層のレーザー・トリミング前の検体センサの上面図（Ａ）、断面側面図（Ｂ）および端面図（Ｃ）。
【図１６】さらに別の態様に従ったセンサのセンシング層および作用電極層のレーザー・トリミング後の図１５Ａ〜１５Ｃの検体センサの上面図（Ａ）、断面側面図（Ｂ）および端面図（Ｃ）。
【図１７】本開示の１つの態様の包装されたセンサ組立体の１つの実施の形態の分解斜視図。
【図１８】図１７の包装されたセンサ組立体の１つの実施の形態の組立斜視図。
【図１９】図１７の包装のトレイ要素の側面（Ａ）、底面（Ｂ）および端面（Ｃ）図。
【図２０】本開示の１つの実施の形態における検体センサの作用電極の上面図（Ａ）；図２０Ａの線Ｂにおける断面図（Ｂ）；図２０Ａの線Ｃにおける断面図（Ｃ）。
【図２１】本開示の１つの実施の形態における図２０Ａに示した作用電極へのセンシング層の施用段階を示す図。
【図２２】本開示の１つの実施の形態に従った検体センサに関連する、典型的な経時変化する感度ドリフトプロファイル。
【図２３】既知のグルコース濃度を有するビーカー溶液に応答する、本開示の１つ以上の方法に従って製造したセンサロットに由来する１６個の検体センサの感度変動。
【図２４】１つの態様における図２３と連動して記載される同一のロットに由来するセンサの応答。
【図２５】本開示の１つ以上の実施の形態に従って製造した検体センサに基づいたクラーク・エラー・グリッド。
【発明を実施するための形態】
【００２６】
本開示を説明する前に、この開示は、記載される特定の実施の形態に限定されず、当然ながら、変化しうることが理解されるべきである。本開示の範囲は添付の特許請求の範囲によってのみ限定されることから、本明細書で用いられる専門用語は、単に特定の実施の形態を説明する目的であって、限定されることは意図されていないことも理解されるべきである。
【００２７】
数値範囲が提供される場合には、介在する数値のそれぞれは、文脈に他に明確に記載されない限り、下限値の単位の１０分の１まで、その範囲の上限値と下限値の間およびその規定された範囲内にある任意の他の規定された値または介在する値が、本開示に包含されることが理解される。これらの狭い範囲の上限および下限値は、独立して、狭い範囲に含まれて差し支えなく、この狭い範囲も本開示に包含され、規定した範囲において明確に除外された制限を受ける。規定した範囲が１つまたは両方の限界値を含む場合には、この含まれている限界値の一方または両方を除外する範囲も、本開示に含まれる。
【００２８】
当業者には明白なように、この開示を読む際には、本明細書に説明および例証される個別の実施の形態のそれぞれは、本開示の範囲または精神から逸脱することなく、他の幾つかの実施の形態のいずれかの特性とは容易に分離されうる、 またはそれらと組み合わされうる、個別の要素および特性を有する。
【００２９】
本開示の実施の形態は、体液中の、例えばグルコースなどの少なくとも１つの検体を検出する、方法および装置に関する。実施の形態はグルコース、ケトン、乳酸など、体液中の検体のインビボ検出用の検体センサを備えた検体モニタリング・システムを使用する、１つ以上の検体濃度の連続的および／または自動のインビボモニタリングに関する。実施の形態は、完全に埋入可能な検体センサおよび、センサの一部のみが皮下に配置され、センサの一部は、例えば、制御装置、送信機、受信機、トランシーバー、処理装置などとの接続のために皮膚上に残る、経皮性の検体センサを含む。センサの少なくとも一部は、例えば、約３日間以上、約５日間以上、約７日間以上、約１０日間以上、約１４日間以上などの期間にわたり、または例えば、センサのセンシング化学配合（formulation）などのセンサ特性によって決定されるセンサ寿命に基づいて、患者の間質液における検体の濃度のモニタリングを目的として患者の皮下に配置されるように構成されて、正確なセンシング結果、および／または、センサ包装および／または保存条件、またはそれらの組合せを提供して差し支えない。この説明の目的では、半連続的なモニタリングおよび連続的なモニタリングは、別に記載されない限り、互換的に用いられる。
【００３０】
実施の形態は、検体センサを含む。センサ応答は、入手され、血中または他の流体中の検体濃度に関連付けられ(correlated to)および／または変換されうる。ある特定の実施の形態では、検体センサは、グルコース濃度を検出するため、間質液と接触して配置されて差し支えなく、この検出されたグルコースは患者の血流におけるグルコース濃度を推論するのに用いられうる。検体センサは、静脈、動脈、または身体の体液を含む他の部位に挿入可能でありうる。本開示の検体センサの実施の形態は、数分間、数時間、数日間、数週間、数ヶ月、またはそれより長い範囲でありうるセンシングまたはモニタリング期間にわたり、検体濃度を実質的に連続的にモニタリングし、検体に関する信号（例えば、センシングの期間に対応するグルコース測定値に変換される、処理前または処理後の信号）を発生するように構成される。
【００３１】
モニターされうる検体としては、限定はしないが、アセチルコリン、アミラーゼ、ビリルビン、コレステロール、絨毛性ゴナドトロピン、クレアチンキナーゼ（例えばＣＫ−ＭＢ）、クレアチン、クレアチニン、ＤＮＡ、フルクトサミン、グルコース、グルタミン、成長ホルモン、ホルモン、ケトン体、乳酸、酸素、過酸化物、前立腺特異抗原、プロトロンビン、ＲＮＡ、甲状腺刺激ホルモン、およびトロポニンが挙げられる。例えば、抗生物質（例えば、ゲンタマイシン、バンコマイシンなど）、ジギトキシン、ジゴキシン、乱用薬物、テオフィリン、およびワルファリンなどの薬物の濃度もまた、モニターされうる。１つ以上の検体をモニターする実施の形態では、検体は、同時に、またはそれぞれ異なった時間にモニターされて差し支えない。
【００３２】
センサまたはセンサシステムの実施の形態は、インビボ使用の間の較正を必要としない、持続血糖モニタリング・システムなどの検体モニタリング・システムに使用するためのインビボ検体センサを含む。さらに具体的には、ある特定の態様における工場の較正システムは、例えば、インビトロにおけるフィンガー・スティック・グルコース試験またはＹＳＩ試験などの任意の基準検体試験(reference analyte tests)、およびインビボ使用の間の使用者による基準試験の結果を使用するインビボ・センサデータに関連する較正を必要としない検体センサを備えた、インビボ検体モニタリング・システムを含む。工場較正システムを含み、および／または使用者による較正システムを含まない、本システムの利点は、定期的なインビトロにおけるフィンガーテストのグルコース試験の必要性を排除し、使用の間のインビボセンサの読み取りにおけるエラーの潜在的な起源を低減することによって、使用者にとっての不都合を低減することを含めて、明白である。
【００３３】
実施の形態は、各製造センサロット内および／またはセンサロット間のセンサごとの再現性を含めた特性を提供するインビボセンサをさらに含む。本明細書に記載する典型的なセンサロットは、同一の材料および方法を用いる製造プロセスの間に、同一の製造装置を使用して製造されるインビボセンサのバッチを含む。本実施の形態は、センサ安定性プロファイル（例えば、同様または同一のセンサ感度、保管寿命特性など）を含めて、非常に類似した、または同一のセンサ特性を有する製造センサロットを含む。例えば、センサロットは、基板または非導電材料、電極用の導電材料、センシング化学組成物、ならびに、厚さ、大きさおよび他の物理的および／または化学的特性などのセンサ膜特性を含めて同一の材料から製造されることに加え、同一の製造装置および方法を用いて製造されるように合理化された、２つ以上のセンサ、例えば、約１，０００以上、約５，０００以上、または約１０，０００以上（または他の適切な、ロットまたはバッチにおいて製造可能なセンサ数）のインビボセンサを含みうる。本明細書で定義されたセンサロットは、単に典型的な目的のためであって、ロットとして製造されるセンサ数は、主として、センサを製造する装置によって支持される生産量によって制約される。この目的を達成するために、本開示の実施の形態に従って、センサロットは、本明細書の典型的な実施の形態のインビボセンサのおよそ１，０００個より多くてもよい。
【００３４】
インビボセンサの実施の形態は、製造後の保管寿命安定性を有し、それによって、インビボ使用前のセンサ感度の低下を排除することを含めて最小限に抑え、保管寿命安定性における変動を最小限に抑えるか、または有意でなくするか、またはゼロにする。実施の形態は、例えば、保管の間およびインビボ使用前のセンサおよび／またはセンサシステムの有効性を維持するために、安定な保管寿命環境を提供するための、乾燥剤および／または他の材料を使用する、センサおよび／またはセンサシステムの包装を含む。
【００３５】
センサの実施の形態は、センサ感度の被験体間および被験体内の変動性を最小限に抑えるため、インビボ使用の間のセンサ応答の変動を調整または補償する、データ処理技術および／または信号補償を実行する検体モニタリング・システムに使用されうる。これらの実施の形態は、センサからのスプリアス信号または過渡信号が検出される初期の埋入期間のセンサ信号の早期の信号減衰の保証を含みうる。
【００３６】
実施の形態は、較正コードまたはパラメータをさらに含み、これは、製造プロセスの一環として、検体モニタリング・システムのデータ処理装置に、または、センサ自体に、例えば、バーコード、レーザータグ、ＲＦＩＤタグ、またはセンサに提供される他の機械で読み取り可能な情報、または、較正コードまたはパラメータ情報が導き出されうるセンサの物理的構成（例えば、センサ本体の表面における形成または圧入の、例えば、高さ、幅、外周、半径、表面積、体積のうちの１つ以上、またはそれらの１つ以上の組合せを含めた寸法に基づいた構成、センサ本体の表面における形成または圧入の配置など）として、１つ以上のセンサ製造プロセスの間に生成または決定され、コード化またはプログラム化されて差し支えなく、それによって、センサのインビボ使用の間の使用者が開始するセンサ較正が除去される、またはセンサ使用の間のインビボ較正の頻度が軽減される。較正コードまたはパラメータがセンサ自体に提供される実施の形態では、センサの使用前または使用開始時に、較正コードまたはパラメータが検体モニタリング・システムのデータ処理装置に自動的に送信または提供されうる。
【００３７】
例えば１年を超えるなど、約１日から約１年以上にわたる期間、所定の製造業者によって製造されたすべての検体システムを含めた、同一および／または異なるロットに由来する複数の検体システムは、同一の較正コードを含みうる。
【００３８】
実施の形態は、センサ製造の間に決定される較正コードまたはパラメータが、センサ固有またはロット固有であって差し支えなく、決定の際に、検体モニタリング・システムのデータ処理装置に自動的に、または手動で提供されうる、センサおよびセンサシステムを含む。例えば、特定の製造センサについて決定した較正コードまたはパラメータは、インビボ使用の前に、使用者が手動でコードまたはパラメータを検体モニタリング・システムのデータ処理装置に入力することを必要とするように、センサ包装に提供されうる。
【００３９】
上述し、下記にさらに詳細に説明するように、本開示の検体センサの実施の形態は、作用電極のグルコースセンシング層および／またはグルコース限界膜を備えた、センサの活性領域を調節する技術および手順で製造したセンサを含む。例えば、本開示の実施の形態に従った検体センサは、（１）センサの再現可能な活性領域 、（２）均一なセンサ膜厚および組成、（３）安定な活性酵素、および（４）予測可能な生物的適合性を提供する。例えば、作用電極に対するグルコースの流束はセンサ膜の厚さに比例することから、実質的に均一な膜厚で製造したセンサは、使用者によるインビボ較正を必要としない、すなわち、工場較正されうる、または製造後およびインビボ使用の間に較正の必要がない、センサを提供する。
【００４０】
全般的なセンサ構造
図１は、本開示の１つの態様に従った検体センサの平面図を例証している。図１を参照すると、１つの実施の形態では、検体センサ１００は、近接部１１０および遠位部１２０を有するセンサ本体を具備する。センサ１００の遠位部１２０の遠位末端１２６は、使用者の皮膚表面を通じた経皮的配置に適したまたは妥当な幅を有しうる。例えば、１つの態様では、遠位部１２０は、使用者の皮膚層下に挿通するための遠位端１２６を画成するため、約２ｍｍ以下、または約１ｍｍ以下、または約０．５ｍｍ以下、または約０．３ｍｍ以下、または約０．２５ｍｍ以下の幅を有するように寸法化されて差し支えない。
【００４１】
ある特定の態様では、図１に示すように、導電材料は、センサ１００に配置される。導電材料は、電極１２１ａ、１２１ｂ、１２１ｃ、伝導性経路１２２ａ、１２２ｂ、１２２ｃおよび接点１２３ａ、１２３ｂ、１２３ｃのうち１つ以上を具備しうる。１つの実施の形態では、１つ以上の電極１２１ａ、１２１ｂ、１２１ｃは、センサ１００の遠位部１２０の遠位末端１２６の近くに配置される。このように、１つ以上の電極１２１ａ、１２１ｂ、１２１ｃは、例えば、対象とする検体の体液を検出および測定するために、間質液と流体接触して、使用者の組織に埋入される。検体センサによって発生した信号は、伝導性経路１２２ａ、１２２ｂ、１２２ｃを通じて、最終的には下記の送信回路に伝達される。１つ以上の電極１２１ａ、１２１ｂ、１２１ｃは、１つ以上の作用電極、１つ以上の対電極、１つ以上の参照電極、またはそれらの組合せを１つ以上含みうる。１つの実施の形態では、センサ１００は、３つの電極、例えば、作用電極、対電極、および参照電極を含みうる。しかしながら、他の実施の形態は、参照することによってその開示が本明細書に援用される、米国特許出願第６１／２４７，５１９号、および同第１２／３９３，９２１号の各明細書に記載されるように、それ以上または以下の数の電極を含むこともできる。さらなる実施の形態では、多数の作用電極がセンサに提供されて差し支えない。図１の電極１２１ａ、１２１ｂ、１２１ｃは、隣り合った構成で示されているが、しかしながら、他の電極構成を使用してもよく、限定はしないが、積層された構成が挙げられる。さらには、本開示に従ったセンサの実施の形態は、限定はしないが、平面センサ、ワイヤセンサ、積み重なった、または積層電極を有するセンサ（例えば、電極が絶縁または基板材料によって隔てられている場合）、ならびに、基板上に、同一平面上に隣り合って配置された電極を有するセンサを含む。
【００４２】
適切な導電材料としては、限定はしないが、ポリマー厚膜結合剤におけるランプブラックカーボン、ガラス状炭素、グラファイト、銀、塩化銀、白金、パラジウム、イリジウム、白金イリジウム、チタニウム、金などが挙げられる。導電材料は、スパッタリング、エバポレーション、印刷、または押出成形を含めたさまざまな技術によってセンサに施用することができ、または、基板は、レーザーアブレーション、またはフォトリソグラフィーを使用してパターン化することもできる。ある特定の態様では、例えば、センサに施用する導電材料として金を使用する場合、金材料の厚さは、およそ４０ｎｍ〜１２０ｎｍの範囲、例えば、およそ５０ｎｍ〜８０ｎｍ、例えば、およそ６０ｎｍの範囲でありうる。材料の寸法の典型的な範囲を上述したが、本開示の実施の形態は、規定した範囲より大きいまたは小さい他の寸法も意図しており、本開示の範囲は上記の典型的な寸法に限定されると解釈されるべきではない。
【００４３】
図２は、本開示の別の態様に従った検体センサの平面図を示している。図２は、図１のセンサ１００の別のセンサ構成を例証している。１つの実施の形態では、図２に示す検体センサ２００は、近位部２１０および、遠位端２２６を備えた遠位部２２０を具備する。センサ２００の遠位部２２０および遠位端２２６の寸法は、１つの態様では、図１と併せて上にさらに詳細に説明したように、使用者の皮膚表面を通じた経皮的配置を促進するように構成される。
【００４４】
ある特定の態様では、図２のセンサ２００は、電極２２１、伝導性経路２２２ａ、２２２ｂ、２２２ｃおよび接点２２３ａ、２２３ｂ、２２３ｃの１つ以上を形成する、センサ２００上に配置された導電材料も具備する（図１と併せて上にさらに詳細に説明したように）。図２の電極２２１は、各電極の導電材料は互いに積層され、不伝導の誘電体層によって隔離される、積層された構成で示されているが、しかしながら、上述のように、他の構成であってもよく、限定はしないが、隣り合った構成も使用して差し支えない。他の実施の形態では、電極、伝導性経路、および／または接点は、センサ本体の両側に提供される。他のセンサ設計および電極構成もまた本開示の範囲内で提供され、限定はしないが、平面およびワイヤセンサおよび積層、隣接、およびねじった電極構成が挙げられる。他の典型的なセンサおよび電極の構成は、とりわけ、米国特許第６，１７５，７５２号、同第６，１３４，４６１号および同第６，２８４，４７８号の各明細書、および米国特許出願公開第２００７／０１３５６９７号明細書から入手することができ、これらは、参照することによってすべての目的において本明細書に援用される。
【００４５】
図３Ａは、１つの実施の形態における、図１の検体センサ１００の遠位部１２０の遠位端部１２６を例証している。１つの態様では、センサ１００の遠位端部１２６は、少なくともある程度、使用者の皮下および／または経皮的組織に配置され、間質液などの体液と接触するように適合される。センサ１００は、１つの態様において、例えば、ポリエステル系材料またはポリイミドなどのポリマー材料から製造した基板１０２を具備しうる。
【００４６】
再び図３Ａを参照すると、１つの態様において、検体センサ１００は、作用電極１２１ａ、対電極１２１ｂ、および参照電極１２１ｃを備える。伝導性経路１２２ａ、１２２ｂ、１２２ｃは、それぞれの対応する接点１２３ａ、１２３ｂ、１２３ｃを有する電極１２１ａ、１２１ｂ、１２１ｃ間の電気的接続を提供する（図１）。例えば、以下に詳細に説明する酵素および随意的な電子移動剤など、検体の検出に使用されるセンシング層１１２は、少なくとも作用電極１２１ａに施用される。センシング材料（例えば、作用電極に施用される成分の１つ以上がない、例えば、酵素および／または随意的な電子移動剤がない）は、１つ以上の他の電極に施用されうる。少なくともセンサ１００の遠位端部１２６は、生体適合性の膜１１４で覆われうる。
【００４７】
図３Ｂは、１つの態様における、センサ１００の遠位端部１２６の断面図を例証している。図示するように、１つの実施の形態では、センサ１００は、誘電体または基板１０２、および、基板１０２に施用された、ガラス状炭素、グラファイト、銀、塩化銀、白金、パラジウム、白金イリジウム、チタニウム、金、またはイリジウムなどの導電層でありうる、随意的な第１の層１１６を備える。層１１６は、スパッタリングまたはエバポレーション法を使用する接着層でありうる。ガラス状炭素、グラファイト、銀、塩化銀、白金、パラジウム、白金イリジウム、チタニウム、金、またはイリジウムなどの導電材料を含む作用電極１２１ａは、一部の実施の形態では、基板１０２の接着層１１６上に施用されうる。他の実施の形態では、導電材料は、接着層１１６上のある領域にのみ施用されて作用電極１２１ａを形成して差し支えなく、もしくは、接着層１１６上の作用電極１２１ａの領域より大きい領域に施用することもでき、あるいは、接着層１１６全体にわたり施用されてもよい。作用電極１２１ａの端縁は、例えば、過剰の材料または別の成形材料の除去など、端縁を修正するレーザーアブレーションなどの手法によって正確に画成されうる。導電材料を施用する同様の技法およびレーザーアブレーションもまたトレース１２２ａ、１２２ｂ、１２２ｃ、対電極１２１ｂ、参照電極１２１ｃ、または導電材料がセンサに施用される任意の他の領域の形成または提供に関連して用いられて差し支えない。
【００４８】
ある特定の実施の形態では、参照電極１２１ｃは、例えば、スクリーン印刷、押出成形または電解析出または電気めっきなどを用いて、銀／塩化銀でコーティングされうる。ある特定の態様では、センサに施用する金などの導電材料の厚さは、およそ４０ｎｍ〜１２０ｎｍの範囲であって差し支えなく、例えば、およそ５０ｎｍ〜８０ｎｍであり、例えば、およそ６０ｎｍである。さらには、１つの態様では、第１の層１１６は、およそ１０ｎｍ〜３０ｎｍの範囲であって差し支えなく、例えば、およそ２０ｎｍである。
【００４９】
図３Ｂを再び参照すると、１つの態様では、カバーレイ材料１１８がセンサ１００の遠位端部１２６に施用されうる。１つの実施の形態では、カバーレイ材料１１８は、電極１２１ａ、１２１ｂ、１２１ｃにのみ施用される。さらに他の実施の形態では、カバーレイ材料は、作用電極１２１ａ、または実質的に基板１０２全体に施用される。カバーレイ材料１１８は、一部またはすべての電極をカプセル化し、環境絶縁および電気絶縁を提供するために使用されて差し支えない。ある特定の態様では、カバーレイ材料１１８は、例えば、限定はしないが、例えばポリイミドまたはポリエステル系材料などの光画像形成性の材料を含みうる。すなわち、ある特定の実施の形態では、ポリマーまたはカバーレイ材料１１８は、例えば、センサ化学などの利用に対する接点および／またはセンサ電極の露光など、ポリマー部分を除去可能にする、光画像形成性でありうる。本開示のある特定の態様では、コーティングポリマーまたはカバーレイ材料１１８の一部は、パターンを形成するようにマスクされ、次に、センサのさらなる処理のために、ポリマーコーティングの一部を除去するために露光および現像されうる。ある特定の態様では、コーティングポリマーは、レーザーアブレーション、化学研磨などの他の方法によって除去されてもよい。また、センサ製造プロセスの間に除去するために、ポリマーまたはカバーレイ材料１１８の目標とする特定領域に、二次フォトレジストを使用して差し支えない。
【００５０】
ある特定の態様では、例えば作用電極１２１ａなど、電極の１つ以上を露光するのに十分な深さまで、例えばフォトエッチングなどのフォトリソグラフィー技術を使用して、空隙またはウェルなどの開口部１２０が、カバーレイ材料１１８に創出または画成されうる。フォトリソグラフィー技術は、ある特定の実施の形態では、露光後に、露光部分がそれぞれ可溶性または不溶性になる、ポジティブまたはネガティブ・フォトレジストを使用する。可溶化部分は、露光後、洗い出しまたは現像、エッチングおよびストリップの工程を経て除去される。露光工程は、ある特定の態様では、マスクの露光工程が生じる前に、マスクアライナのビジョン機構に特有の金属層の基準機能を使用して、現存する金属層に対し、（Ｘ、Ｙ）または（Ｘ、Ｙ、θ）段階を経てフォトマスク（例えば、カバーレイ材料１１８上）を整列させる、正確なマスクアライナを使用する。マスクの露光工程は、フォトマスクの所望の部分を、例えば、フォトマスクの曝露部分の溶解性を変化させる紫外線に露光する。フォトマスクは、ある特定の実施の形態では、石英、ガラスまたはポリエステルなどの紫外線波長において透明な材料でできている。
【００５１】
次に、作用電極１２１ａ上に開口部１２０として示される、形成された空隙またはウェルに、検体との反応に用いられるセンシング層１１２が配置される。ある特定の実施の形態では、１つ以上のセンシング層成分が、１つ以上の他の電極に堆積されうる。さらに図３Ｂに示されるように、生体適合性の膜１１４はセンサ１００の遠位端部１２６を取り囲む。他の実施の形態では、生体適合性の膜１１４は、経皮的配置用に構成されたセンサ１００の全部を取り囲むことができる。
【００５２】
本開示のある特定の態様では、１つ以上の電極を部分的にまたは完全に覆う、１つ以上の電極の上に配置されたカバーレイ材料１１８は、例えば、非導電性のポリマーを含みうる。適切な絶縁材料としては、限定はしないが、ポリエチレンテレフタレート、パリレン、フッ素化ポリマー、ポリウレタン、ポリイミド、他の不伝導のポリマー、ガラスまたはセラミックが挙げられる。絶縁材料は、さまざまなコーティング方法によって電極にコーティングされて差し支えなく、限定はしないが 化学または物理気相成長法、ホットローラー積層、スプレーコーティング、ディップコーティング、スロットダイ押出成形、直接被覆、または他のコーティング技術が挙げられる。一部の実施の形態では、絶縁コーティングは、電極から部分的または選択的に剥ぎ取られ、電気活性表面が露光される。一部の実施の形態では、絶縁基板（例えば、誘電材料）および電極は、積層された幾何学的配置で配列することができる（すなわち、電極間に絶縁基板が配置される）。別の実施の形態では、電極は、参照することによってその開示が本明細書に援用される、米国特許第６，１７５，７５２号明細書に記載されるように、隣り合った幾何学的配置で配列されてもよい。
【００５３】
図４Ａおよび４Ｂは、本開示の別の実施の形態に従った検体センサの構成を示している。さらに具体的には、図４Ａはセンサ基板本体の平面図を示し、図４Ｂは、皮膚層を通じて、間質液と流体接触した、経皮的配置のための屈曲または角度のある部分を伴って構成されたセンサ本体を例証している。図４Ａにさらに示されるように、さまざまな電極、伝導性経路および接点の配置／構成は、図１および２に示す実施の形態と比較して、異なりうる。しかしながら、皮下および／または経皮的配置ように構成された図４Ａに示すセンサの遠位端部は、図３Ａおよび３Ｂに示す較正および／または配置と同様または同一でありうる。
【００５４】
図４Ａおよび４Ｂを参照すると、１つの実施の形態では、センサ４００は、近位部４１０、遠位部４２０、および中間部４２５を備える。中間部４２５は、遠位部４２０からの位置および／または方向に対して所定の角度で提供されうる。例えば、中間部４２５は、遠位部４２０から横方向にずれるか、または、ねじれていてもよい。この目的を達成するために、中間部４２５と遠位部４２０の間にギャップが画成されうる。ギャップは、中間部４２５および遠位部４２０の主軸が互いに平行状態を保つように、その長さに沿って一定の間隔を有していてもよく、またはその長さに沿って可変間隔を有しうる。
【００５５】
さらには、図４Ｂに示すように、センサ４００の近接部４１０は、中間部４２５および／または遠位部４２０に対して所定の位置および／または方向に提供されうる。このように、第２のギャップは、センサ本体４００の近接部４１０と中間部４２５の間に画成されて差し支えなく、ここで、近接部４１０の少なくとも一部が中間部４２５から横方向にずれる。中間部４２５および中間部４２５と近位部４１０および遠位部４２０の間の対応するギャップは、中間部４２５が、センサ挿通の間に使用した鋭い挿通体（例えば、導入針）の除去、およびその後の皮膚層下へのセンサ挿通または配置後の使用者または患者からの導入針または鋭い挿通体の除去または抜去の補助に使用されるように、構成されて差し支えない。
【００５６】
さらに図４Ａおよび４Ｂを参照すると、ある特定の態様では、図４Ａおよび４Ｂのセンサ４００も、センサ４００上に配置されて、使用者の皮膚表面を通じた経皮的配置を促進するように構成された遠位端部４２６に１つ以上の電極４２１を形成する導電材料（図１と併せて上にさらに詳細に説明した）、伝導性経路４２２ａ、４２２ｂ、４２２ｃおよび接点４２３ａ、４２３ｂ、４２３ｃを備える。１つの実施の形態では、導電材料は、センサ４００の中間部４２５には配置されない。限定はしないが、図１および２に関する配置および構成など、電極４２１、伝導性経路４２２ａ、４２２ｂ、４２２ｃおよび接点４２３ａ、４２３ｂ、４２３ｃのさまざまな他の構成および／または配置もまた本開示の範囲内に含まれ、例えば、センサの伝導性経路４２２ａ、４２２ｂ、４２２ｃおよび接点４２３ａ、４２３ｂ、４２３ｃの同一平面上または同軸上の配置または配向、および、センサのねじれ電極または積み重ね電極または積層電極の対応する電極、または、基板の両側または両表面に提供された電極を含む両面センサ構成が挙げられる。
【００５７】
センサの活性領域
ある特定の実施の形態では、本開示に従ったインビボセンサは、作用電極の再現可能な活性領域を有する。すなわち、各製造センサでは、活性領域（作用電極におけるセンシング化学の領域として画成）のパラメータまたは特性は、活性領域の変動係数（ＣＶ）が、センサロット内のセンサ間で約５％未満、例えば約３％未満、例えば約１％未満になるように再現可能である。これは、活性領域が正確に画成された、インビボセンサ製造の間の製造プロセスの制御および規定された手順によって達成されうる。
【００５８】
センサの活性領域の再現性は、１つの態様において、活性領域、すなわち、製造センサ内のセンシング要素と接触する作用電極領域の実質的に一定の寸法（幅、長さ、半径および厚さ）を維持することによって、センサ間の変動感度を最低限に抑える。
【００５９】
ある特定の実施の形態では、作用電極の活性領域は、製造プロセスの間に、（例えば、使用する膜ポリマーロットの粘度または透過性、またはロットに使用する酵素の活性に関する）値の大きさまたは範囲、あるいは、例えば、センサロット毎における製造精度に影響を及ぼす（従って、再現性に影響を及ぼす）パラメータに関連するそのような値の変動が、決定、理解、分析、または別に習得されるまで、不定であってもよい。例えば、作用電極および酵素／センシング層ポットの領域は、上述のパラメータに関する値が決定、理解、分析、または別に習得されるまで、作用電極の最終的な所望の活性領域よりも大きくて差し支えなく、その時点において、作用電極の活性領域は所望の大きさまたは幾何学的形状にトリミングされうる。トリミング法は以下に記載するレーザー形の方法の１つであって差し支えなく、例えばスキャナ、固定ビーム、またはアブレーションマスクを介して送達または提供される、例えば、紫外線（ＵＶ）、赤外線（ＩＲ）レーザー、または短パルスが挙げられる。
【００６０】
図５Ａおよび５Ｂは、それぞれ、本開示の１つの態様における検体センサの平面図および断面図を例証している。さらに具体的には、図５Ａおよび５Ｂは、少なくとも、作用電極の導電層５０４の少なくとも一部と同程度またはそれより大きくなるように寸法化されたセンシング層を含む、検体センサ構成を示している。さらに具体的には、図５Ａおよび５Ｂを参照すると、センサ５００は、１つの実施の形態において、基板の長さ５０２の少なくとも一部に沿って延在し、センサの作用電極を形成する導電層５０４を有する基板５０２を備える。導電層５０４は、同一または異なる大きさおよび／または形状でありうる近位部および遠位部を備えていて差し支えなく、例えば、基板５０２の長さに沿って延在し、幅または半径寸法ＷCを有するより広いまたは大きい遠位部５０４ｂで終わる、狭い近位部５０４ａを備えうる。
【００６１】
ある特定の実施の形態では、導電層５０４は、全体の長さにわたり実質的に一定の幅を有するように製造されて差し支えなく、広い近位部および狭い遠位部などを有していてもよい。遠位部５０４ｂは、任意の適切な形状を有して差し支えなく、限定はしないが、円形（図示するように）、卵形、直線的、または他の同等の形状などが挙げられる。導電層５０４の遠位部５０４ｂにはセンシング層５０６が配置される。この場合も、センシング層５０６は、任意の適切な形状および領域寸法を有していてよく、導電材料の遠位部５０４ｂの一部または全体が覆われうる。図に示すように、センシング層５０６は、１つの態様において、遠位部５０４ｂと実質的に同一の円形形状を有し、周縁が遠位部５０４ｂの外縁を超えて延在するように、遠位部５０４ｂよりも大きい（または少なくとも同等の大きさである）幅／半径寸法ＷSを有する領域を有する。
【００６２】
センシング材料５０６の領域にかかわりなく、センサの活性領域５１０は、遠位の導電性部分５０４ｂの領域によって決定されうる。このように、活性領域５１０の寸法は、導電層５０４の遠位部５０４ｂの領域を変動させることによって変動されうる。作用電極の導電層５０４の寸法に応じて、対応するセンシング層の領域は可変でありうるが、図示するように、センシング層は、上述のように作用電極を形成する、対応する導電層５０４の領域と少なくとも同等の大きさの活性領域を有する。
【００６３】
ある特定の実施の形態では、センシング層ＷSの幅／半径は、約０．０５ｍｍ〜約１．０ｍｍの範囲であって差し支えなく、例えば、約０．１ｍｍ〜約０．６ｍｍであり、導電層ＷCの幅／半径は、約０．１ｍｍ〜約１．０ｍｍの範囲であり、例えば、約０．２ｍｍ〜約０．６ｍｍであり、それに伴って得られた活性領域は、約０．００２５ｍｍ2〜約１．０ｍｍ2の範囲であり、例えば、約０．０１ｍｍ2〜約０．３６ｍｍ2である。
【００６４】
図５Ａおよび５Ｂをさらに参照すると、ある特定の実施の形態において、絶縁／誘電体層５０８は、導電層５０４の近位部５０４ａの少なくとも一部に配置または積層される。追加の導電および誘電体層も提供されて差し支えない。
【００６５】
図６Ａおよび７Ａは、正確に形成された活性領域を有する、それぞれのセンサの挿通先端または尾部の上面図を例証しており、図６Ｂおよび７Ｂは 、それぞれ図６Ａおよび７Ａの線Ｂ−Ｂに沿った、それぞれのセンサの断面側面図である。図６Ａおよび６Ｂを参照すると、センサ６００は、基板の長さの少なくとも一部に沿って延在してセンサの作用電極を形成する、導電層６０４を有する基板６０２を具備する。導電層６０４は、基板６０２の遠位端６１０の近くで終わって、このように、「フィンガー」構成を提供して差し支えない。あるいは、導電層６０４ａは、図に示すように、センサ６００の遠位端６１０まで延在しうる。１つの態様では、作用電極６０４は、基板６０２の幅より小さい幅ＷCを有し、基板の側端６１２から選択した距離だけ延在し、この距離は、側端６１２のそれぞれから等距離であっても異なっていてもよい。導電層６０４の長さの一部にセンシング層６０６が配置され、このセンシング層は、この実施の形態に示すように、導電層の長さと実質的に直角であり、基板６０２の側端６１２から側端６１２まで延在する、連続的なストリップ／バンドを提供する。センシング層６０６は、作用電極６０４の一部または全長に及びうる、幅ＷSを有する。図示するように、活性領域６１４は、作用電極６０４およびセンシング層６０６の重複部分によって画成される。
【００６６】
図６Ａおよび６Ｂを参照すると、本開示のある特定の態様では、センシング層の幅ＷSは約０．０５ｍｍ〜約５ｍｍの範囲であって差し支えなく、例えば、約０．１ｍｍ〜約３ｍｍであり、導電層の幅ＷCは約０．０５ｍｍ〜約０．６ｍｍの範囲であって差し支えなく、例えば、約０．１ｍｍ〜約０．３ｍｍであり、得られる活性領域は、約０．００２５ｍｍ２〜約３ｍｍ２の範囲、例えば、約０．０１ｍｍ２〜約０．９ｍｍ２の範囲である。
【００６７】
センシング層６０６と導電層６０４の直交の関係性は、交差または重複部分をもたらし、直線的な多角形の構成を有する活性領域６１４を生じる。しかしながら、本開示の範囲内において、活性領域の任意の適切な形状が形成または提供されて差し支えない。活性領域６１４の寸法は、センシングおよび導電層のそれぞれの幅の大きさのうち一方または両方を変動させることによって変化させてもよい。再び図を参照すると、絶縁／誘電体層６０８は、少なくとも、導電層６０４の近位部に配置または積層される。
【００６８】
図７Ａおよび７Ｂを参照すると、別の実施の形態では、センサ７００は、基板の長さに沿って延在し、センサ７００の作用電極を形成する、導電層７０４（ある特定の実施の形態では、幾つかの導電層の最初の層であって差し支えなく、それぞれ、作用電極、対電極、および参照電極のそれぞれ１つに対応する）を有する基板７０２を備える。本開示の実施の形態では、それぞれの電極の導電層７０４は、作用電極、対電極および参照電極のそれぞれの導電層が基板７０２上に隣り合って配置または提供されるように、基板７０２上の同一の面に提供されうる。１つの態様では、作用電極を形成する導電層７０４は、基板７０２の長さの少なくとも一部に延在し、この実施の形態では基板７０２の幅に広がるように示される、幅の大きさＷCを有する遠位部を少なくとも備える。
【００６９】
導電層７０４の長さの一部には、実質的に直角であり、基板７０２の側端７１２から側端７１２まで延在する連続的なストリップ／バンドを提供する、センシング層７０６が配置される。１つの態様では、センシング層７０６は、作用電極７０４の幅ＷC（ならびに基板７０２の幅）よりも狭い、定義された幅ＷS を有しうるが、作用電極および／または基板と実質的に同一であるか、またはそれより広くてもよい。ある特定の実施の形態では、センシング層の幅ＷSは、約０．０５ｍｍ〜約５ｍｍの範囲であって差し支えなく、例えば、約０．１ｍｍ〜約３ｍｍであり、導電層ＷCの幅、すなわち、基板の幅は、約０．１ｍｍ〜約１ｍｍの範囲であり、例えば、約０．２ｍｍ〜約０．５ｍｍであり、それに伴って得られた活性領域は、約０．００５ｍｍ2〜約５ｍｍ2の範囲であり、例えば、約０．０２ｍｍ2〜約１．５ｍｍ2である。
【００７０】
この場合も、図に示すように、センシング層７０６と導電層７０４の直交の関係性は、結果的に、直線的な多角形構成を有する活性領域７１４を画成する交差または重複部分を生じる。しかしながら、本開示の範囲内において、任意の適切な形状が提供されて差し支えない。活性領域７１４の寸法は、この事例では、導電層の幅の大きさＷCと同一である、センシング層の幅の大きさＷSおよび／または基板の幅の大きさを変動させることによって変動しうる。さらに図に示されるように、絶縁／誘電体層７０８が導電層７０４の少なくとも近位部に配置または積層されうる。
【００７１】
ある特定の実施の形態に従って、上述のように正確に画成された活性領域を有する検体センサは、再現可能に製造される。さらに具体的には、手法の１つは、センシング要素のストリップ／バンドを、導電層の長さに直角に、提供、堆積、印刷、またはコーティングすることを含み、ここで、導電層は典型的には作用電極として機能する。この手法は、シートまたはウェブからセンサを個片切断／切断する前に行われうる。特に、製造プロセスがウェブ形の場合、センシング層材料の体積は、隣接したセンサ上に連続的な方法（ストリッピング）で提供される。「センシング・ストリップ」は、センシング・ストリップの幅の大きさが導電材料の幅の大きさに対して直角である、少なくとも、単一のセンサの導電層の幅全体にわたって一定の幅を有するような方法で提供されうる。
【００７２】
センシング材料の長さは、導電層の幅の一端または両端を超えて延在して差し支えない。ある特定の態様では、センシング・ストリップが提供される導電層の一部はまた、センサの基板の幅全体に延在するか（図７Ａ）、または、基板の側端の一方または両方の近くで終わる、または後退する（図６Ａ）、一定の幅を有する。導電層の長さは、センサの基板の遠位端までセンサ全長に延在して差し支えなく（図７Ａ）、または、基板の遠位端から近位の規定された距離で途切れていてもよく（図６Ａ）、後者の構成は「フィンガー」構成と称される。
【００７３】
実質的に一定の幅を有し、互いに実質的に直角に提供されたセンシングおよび導電層／ストリップの両方を有する、活性領域の交差形式は、センサの長さおよび幅の両方に沿って実質的に一定である。このような実施の形態では、活性領域は、センサ間で再現可能な方法で提供するのが容易でありうる、直線的な多角形を有する。
【００７４】
図８Ａおよび８Ｂは、センサの活性領域がセンサ電極（例えば、作用電極）上の誘電体層（例えば、カバーレイ）内の空隙またはウェルによって画成され、センシング要素で満たされた、本開示のさらに別の態様における検体センサのそれぞれ平面図および断面図を示している。図面を参照すると、１つの実施の形態では、センサ８００は、基板の長さの一部に沿って延在し、センサの作用電極を形成する導電層８０４を有する基板８０２を備える。導電層８０４は、基板８０２の長さの大部分に延在し、幅または半径寸法ＷCを有する広いまたは大きい遠位部８０４ｂで終わる、狭い近位部８０４ａを備えうる。ある特定の態様では、導電層８０４は、全長にわたり実質的に一定の幅を有していて差し支えなく、広い近位部および狭い遠位部などを具備しうる。遠位部８０４ｂは、任意の適切な形状を有していて差し支えなく、限定はしないが 直線的、卵形、円形、または他の同等の形状が挙げられる。導電層８０４には、図８Ｂに示すように、導電層８０４の遠位部８０４ｂ上に配置された空隙またはウェル８１０を有する、誘電体層８０８が配置される。誘電体層８０８は基板８０２ａを周端縁８１２までオーバーレイするように示されているが、誘電体層８０８の外縁部は適切な境界を有しうる。空隙８１０内にはセンシング材料８０６が配置され、センサの活性領域を画成する。実施の形態は、空隙８１０の先端またはその上に配置されうる、グルコース流制限層、干渉層、生体適合層などをさらに備える。例えば、実施の形態は、空隙／ウェルの寸法に近づけるように寸法化され、センサ８００の他の部分には積層されない、誘電体層８０８を具備する。
【００７５】
図８Ａおよび８Ｂを再び参照すると、センサの空隙／ウェル８１０の側壁、および活性領域８０６の形状は、任意の適切な形状を有していて差し支えなく、限定はしないが、円形（図示するように）、卵形、直線的などが挙げられる。空隙８１０の領域寸法は、半径寸法ＤV（円形空隙の場合）に基づいて決定され、幅および長さ寸法（直線的な空隙の場合）は、センサの活性領域８０６の所望の領域に基づいて選択される。よって、活性領域８０６の寸法は、製造プロセスの間に空隙８１０の領域を変動させることによって変動しうる。加えて、図８Ａおよび８Ｂに示す１つの実施の形態における画成された、再現可能な空隙／ウェル８１０は、インビボセンサのグルコース限界膜の厚さを画成しうる。 例えば、再び図３Ｂを参照すると、１つの実施の形態では、作用電極１２１ａ上の所定の活性センシング領域を画成または曝露するために除去するカバーレイ材料１１８の一部は、さらに、活性センシング領域１１２上に配置されるグルコース限界膜の厚さも画成しうる。
【００７６】
空隙８１０の領域は、導電性の遠位部８０４ｂよりも小さいように例証されているが、ある特定の実施の形態では、後者の領域と同等の大きさであって差し支えない。しかしながら、ある特定の実施の形態では、導電性の遠位部より大きくはない。さらに、空隙８１０／活性領域８０６は、導電性の遠位部８０４ｂの内部領域の中央に配置されるように例証されているが、本開示の範囲内において、空隙８１０／活性領域８０６の一部は、中央に配置されるのではなく、導電性の遠位部８０４ｂの領域内でオフセットされてもよい。ある特定の実施の形態では、活性領域の面積は、約０．０１ｍｍ2〜約１．０ｍｍ2の範囲にあり、例えば、約０．０４ｍｍ2〜約０．３６ｍｍ2である。
【００７７】
図８Ａおよび８Ｂの実施の形態における活性領域は、誘電材料８０８内の空隙８１０の面積にに応じて決まることから、誘電材料を使用する製造技術は、非常に正確な施用、ならびに、誘電材料を施用する正確な技術を支持し、内部に空隙の形成を提供する。例えば、光画像形成性のポリマー材料は、誘電材料用途に使用して差し支えなく、これは、溶液から、または、光画像形成性のフィルムおよび光リソグラフィ法によって内部に形成される空隙を使用するロール・プレス法によって、基板／導電材料上に配置される。
【００７８】
正確なセンサ寸法
図９Ａ〜９Ｃは、それぞれ、１つの態様に従った両面のある検体センサの上面、底面および断面側面図を例証しており、ここで、誘電体の両面は導電材料を備える。図９Ａ〜９Ｃを参照すると、例えば、センサの尾部の遠位部など、センサ９００の両面性の埋入可能な部分の実施の形態が例証されている。特に、図９Ａおよび９Ｂは、それぞれ、尾部９００の上面および底面図を提供し、図９Ｃは、図９Ａの線Ｃ−Ｃに沿った同一の断面側面図を提供する。
【００７９】
図面を参照すると、１つの態様では、センサ尾部９００は、基板９０２の上面の表面積全体を実質的に覆う、上面の導電層９０４ａを有する基板９０２（図９Ｃ）を含む。すなわち、導電層９０４ａは、遠位端９１２に及び、側端９１４ａから側端９１４ｂまでの基板全体の幅にわたる、実質的に基板の全長に延在する。同様に、底部導電層９０４ｂは、基板の尾部９００の底部側全体を実質的に覆う。さらに図示するように、導電層の一方または両方は、遠位端９１２の近くで終わって差し支えなく、および／または、基板９０２の幅よりも短い幅を有してもよく、ここで、前記幅は基板の側端９１４ａ、９１４ｂからの選択した距離を終結させ、この距離は等距離であって差し支えなく、あるいは、側端のそれぞれから変動してもよい。
【００８０】
１つの態様では、上部または底部導電層の１つ、ここでは、上部導電層９０４ａは、センサの作用電極として作用するように構成されて差し支えなく、一方、対向する導電層、すなわち底部導電層９０４ｂは、参照電極および／または対電極として構成されうる。ある特定の実施の形態では、作用電極は、２つの作用電極を備えた単一のセンサを提供するようにセンサの両側に配置されて差し支えない。参照電極または対電極として構成された導電層９０４ｂを有する実施の形態では、両方ではないが、第３の電極は、随意的に、センサの近位部の表面領域（図示せず）に提供されうる。例えば、導電層９０４ｂは、センサの埋入不可能な近位部に存在する参照電極および第３の導電層（図示せず）として構成されて差し支えなく、センサの対電極として機能しうる。
【００８１】
再び図を参照すると、導電層／作用電極９０４ａの長さの遠位部には、センシング要素９０６が配置される。少量のセンシング材料のみが検体の酸化または還元を促進することが必要とされることから、センサ尾部の遠位端またはその近くにセンシング層９０６を配置することで、必要とされる材料の量が低減される。センシング層９０６は、センサの活性領域を画成する作用電極９０４ａとセンシング層９０６の重複部分または交差を有する基板の側端９１４ａ、９１４ｂ間に、それらに対して実質的に直角に、連続的なストリップ／バンドの状態で提供されうる。センシング層９０６と導電層９０４の直交の関係性に起因して、活性領域は直線的な多角形構成を有する。しかしながら、任意の適切な形状が提供されて差し支えない。活性領域９１４の寸法は、センシングおよび導電層のそれぞれの幅の大きさのいずれかまたは両方を変動させることによって変動されうる。センシング層９０６の幅ＷSは、作用電極の全長、またはその一部のみを覆って差し支えない。導電層の幅ＷCは、この実施の形態における尾部の基板幅の影響を受けることから導電層と基板の間のレジストレーションまたは解像度の不一致が除去される。ある特定の実施の形態では、センシング層の幅ＷSは約０．０５ｍｍ〜約５ｍｍの範囲であり、例えば、約０．１ｍｍ〜約３ｍｍの範囲であり；導電層の幅ＷCは、約０．０５ｍｍ〜約０．６ｍｍの範囲であり、例えば、約０．１ｍｍ〜約０．３ｍｍの範囲であり、約０．００２５ｍｍ2〜約３ｍｍ2の範囲、例えば、約０．０１ｍｍ2〜約０．９ｍｍ2の範囲の得られた活性領域を有する。
【００８２】
電極を再び参照すると、ある特定の実施の形態では、同一の材料および方法が、上部および底部電極の作製に使用されうるが、異なる材料および方法も使用して差し支えない。図９Ａ〜９Ｃの例証する実施の形態のように、基板の対向する側に配置された作用電極および参照電極を有するある特定の実施の形態では、それぞれの電極を形成するために、２つ以上の異なる種類の導電材料を使用して差し支えない。
【００８３】
それぞれの電極のための導電材料の選択は、一部には、センサ電極におけるセンシング層のメディエータの所望の反応速度に基づいている。ある特定の実施の形態では、対電極／参照電極におけるレドックスメディエータの反応速度は、例えば、対電極／参照電極における反応速度を増大させるために適用電位よりも高い過電圧または電位を必要とするであろう対電極／参照電極の材料の選択によって制御される。例えば、一部のレドックスメディエータは、銀／塩化銀（Ａｇ／ＡｇＣｌ）または金電極よりも炭素電極で速く反応しうる。
【００８４】
したがって、ある特定の態様では、図９Ａ〜９Ｃに示すセンサの実施の形態は、センサの参照電極を集合的に形成するために、底部導電層９０４ｂの遠位部上に配置されたＡｇ／ＡｇＣｌなどの材料の導電層９１０の二次層を有する、チタニウム、金炭素または他の適切な材料などの材料を含む、実質的に完全な長さの導電層９０４ａ、９０４ｂを備えたセンサ構成を提供する。センシング層９０６と同様に、導電材料９１０は、基板の側端９１４ａ、９１４ｂの間に、それらに実質的に直角に連続的なストリップ／バンドに提供されうる。層９１０は、センシング層９０６の近くの基板９０２上（だが基板の反対側）に配置されて示されているが、層９１０は、参照電極９０４ａの尾部９００上の任意の適切な位置に配置されて差し支えない。例えば、図１０Ａ〜１０Ｃに示すように、参照電極１００８ｂの二次導電材料１０１０は、センシング層１００６と一致する、および／またはセンシング層１００６よりも遠位にあってもよい。
【００８５】
図を再び参照すると、絶縁／誘電体層９０８ａ、９０８ｂは、電極の近位部、すなわち、経皮的配置の際に皮膚の外部に一部残る電極部分を絶縁するために、少なくともセンサ本体部分（図示せず）の上のセンサ９００の各側に配置されうる。作用電極９０４ａ上に配置された上部の誘電体層９０８ａは、遠位側に延在して差し支えないが、センシング層９０６部分の上には延在せず、または、ある特定の実施の形態では、一部を覆ってもよいが、センシング層９０６のすべてではない。あるいは、図１０Ａ〜１０Ｃに示すように、センサの作用電極側の上の誘電体層１００８ａは、図１０Ｃに最良に示されるように、誘電体層１００８ａが導電層１００４ａ上に互いに隔てられた少なくとも２つの部分を有するように、センシング層１００６より先に提供されうる。次に、２つの部分の間の空間にセンシング材料１００６が提供される。
【００８６】
センサの底面電極／参照電極上の誘電体層に関しては、センサの尾部に任意の適切な長さで延在して差し支えない、すなわち、一次および二次導電層の両方の全長またはそれらの一部に延在しうる。例えば、図１０Ａ〜１０Ｃに示すように、底部誘電体層１００８ｂは、二次導電材料１０１０の底部表面積全体にわたって延在するが、一次導電層１００４ｂの長さの遠位端１０１２の近くで終了する。側端基板１００２に沿って延在する少なくとも二次導電材料１０１０の末端は、最初に、誘電体層１００８ｂによって覆われるが、センサの個片切断の後、二次導電層１０１０は、基板１００２の側端に沿って曝露され、このように、稼働使用時にインビボ環境に曝露されることに留意されたい。図１０Ａ〜１０Ｃにさらに示すように、底部誘電体層１００８ｂは、ある特定の実施の形態において、二次導電層１０１０の近くで終了する、ある長さを有しうる。
【００８７】
さらに、１つ以上の検体流束調節層および／または干渉物質除去層(interferent-eliminating layer)および／または生体適合層として機能しうる１つ以上の膜が、１つ以上の最外部層としてセンサの周りに提供されてもよい。ある特定の実施の形態では、検体のセンシング層への拡散または流束速度を調節するために、図９Ｃに示すように、第１の膜層９１６が、作用電極９０４ａのセンシング要素９０６上に単独で提供されうる。単一の要素／材料上に膜層が提供される実施の形態では、他の材料／要素に使用するものと同一のストリップ構成および方法を用いて、そのようにするのが適切でありうる。ここでは、膜材料９１６のストリップ／バンドは、センシング ストリップ／バンド９０６の幅よりも広い幅を有しうる。
【００８８】
それがセンサの活性領域への検体の流束を制限するように作用し、したがって、センサ感度に寄与することから、膜９１６の厚さの調節は重要である。すなわち、再現可能な検体センサの製造は、実質的に一定の膜厚を含む。ストリップ／バンドの形態における膜９１６の提供は、厚さの調節を促進する。センサ尾部の残りの表面領域を覆う第２の膜層９１８もまた、生体適合性のコンフォーマルコーティングとしての役割をし、センサ全体に滑らかな端縁を提供するために、提供されうる。他の実施の形態では、図１０Ｃに示すように、単一の均質な膜１０１８が、センサ表面領域全体に、または少なくとも遠位尾部の両側にコーティングされうる。センサの遠位端および側端をコーティングするため、膜材料には 、その後、センサ前駆体の個片切断を施さなければならないことに留意されたい。
【００８９】
ある特定の実施の形態では、センサロット上への非常に正確な膜コーティングは、幾つかの方法で達成されうる。膜がセンサの個片切断工程の後に施用される場合には、膜は、例えば、スプレーコーティングまたはディッピング法で施用して差し支えない。ディッピング法の場合には、センサロットにわたる膜配合物の粘度の調節は、例えば、浸漬浴（dip bath）の温度を下げることによって制御される。あるいは、センサは、粘度を直接決定することができ、出口速度などのディッピング・パラメータを制御して、センサロットにわたる粘度変化を計上することができる、浸漬浴に取り込んで差し支えなく、それによって、原料成分（例えば、センサ複合材料）の潜在的な製造過程の変動にかかわらず、実質的に同一の浸漬厚さを保つ。
【００９０】
ある特定の実施の形態では、他の検出器または測定装置またはシステムを使用して、施用した膜の厚さをモニタリングし、工程パラメータを調整して、センサロットにわたる厚さ変動性の低さを確実にしてもよい。例えば、検出器または測定装置またはシステムは、測定または検出された情報に基づいて、低い厚さ変動性を維持するように、センサロットに対する調整がなされ、製造の間に各センサロット内の最小限のまたは有意でないセンサ間の変動を生じうるように、膜および／または下地（underlying）電極の１つ以上の厚さを測定、検出、または決定することができる、例えば、レーザー変位検出器、短い波長で操作するものを含めた共焦点レーザー変位検出器、容量検出器、および他の検出器または測定装置から選択して差し支えない。本開示の態様では、膜厚に関する前述の測定または検出は、各センサについて行って差し支えなく、厚さの許容差範囲外にあることが測定または検出された膜厚を有するセンサは（センサ間の変動の耐性基準に基づいて規定または決定されるように）、製造プロセスの間に廃棄、またはインビボ使用に不適切であるとタグ化または通知されうる。
【００９１】
センサ製造プロセス−両面センサ
センサ上のセンシング要素の提供の精度の改善、したがって、得られた活性領域の精度の改善は、センサ間の感度変動性を大幅に低減し、インビボ使用の間のセンサの較正の必要性を大幅に排除しうる。さらに、本方法は、誤った低い読み取りを生じうるその場（in situ）における環境条件の影響を極めて受けにくいマイクロ寸法化した尾部を備えた、現在利用可能なセンサよりも小さいセンサ完成品を提供する。
【００９２】
対象とする方法のバリエーションでは、本センサの製作において、１つ以上の工程を行うために、ウェブ系の製造技術が用いられ、その工程の多くは、参照することによりその全体がすべての目的において取り込まれる、米国特許第６，１０３，０３３号明細書にされている。製造プロセスを開始するため、基板材料の連続的なフィルムまたはウェブが提供され、必要に応じて熱処理される。ウェブは、個別のセンサ前駆体を画成する事前の切り込みまたはミシン目を有していてもよい。次に、上述のさまざまな技術の１つ以上によって、ウェブの両側に提供された作用および参照（または対／参照）電極トレースを備えた、さまざまな導電層が基板ウェブ上に形成される。
【００９３】
また、前述のように、第３の随意的な電極トレース（例えば、対電極として機能しうる）が、センサ前駆体の近位の本体部分に提供されてもよい。前駆体センサの尾部領域に提供される「第1の」伝導性経路は、最終的なセンサ構成の尾部の所望または所定の幅よりも大きい幅の大きさを有する。伝導性経路の前駆体の幅は、約０．５ｍｍ〜約３ｍｍの範囲の幅を含めた、約０．３ｍｍ〜約１０ｍｍの範囲であって差し支えなく、またはもっと狭くてもよく、例えば、約２ｍｍ〜約３ｍｍである。ある特定の実施の形態では、一次導電層は、センサ前駆体の尾部に沿って任意の適切な長さまで遠位側に延在して形成されうるが、必要なセンサ尾部長さを最小限に抑えるために、少なくとも、完成したセンサの意図される遠位端まで延在することが好ましい。
【００９４】
次に、用いる場合には、センシング層および二次導電層が、基板または基板ウェブのそれぞれの側の一次導電層に形成される。上述のように、これらの層のそれぞれは、一次導電層／センサ尾部の長さに対して直角に配置されたそれぞれの材料のストリップまたはバンドに形成されうる。単一の連続的な沈着工程に伴い、センシング・ストリップの平均幅は、基板ウェブに沿って実質的に一定であり、最終的にはセンサ間で一定である。二次導電層（例えば、参照電極におけるＡｇ／ＡｇＣｌ）は、提供される場合には、同様の技術を用いて、連続的な直交するストリップ／バンドに形成されうる。センサ上に材料のさまざまなストリップ／バンドを提供する方法の１つは、インクジェット印刷法（例えば、Ｓｃｉｅｎｉｏｎ Ｉｎｃ．社製造、ＢｉｏＤｏｔ Ｉｎｃ．社流通の圧電式インクジェット）を用いて、センシング要素／材料の堆積、印刷またはコーティングによるものである。これらの材料を施用する別の方法は、参照することによってその開示のすべてが、すべての目的において取り込まれる、「正確な流体分配方法および装置（Precise Fluid Dispending Method ans Device）」という発明の名称の米国特許出願第６１／１６５，４８８号明細書にさらに詳細に記載される高精度ポンプ（例えば、ピストン駆動または蠕動運動によって駆動するもの）および／またはフットニードル（footed needle）によるものである。それぞれのストリップ／バンドは、センサの個片切断前に連続して整列させたセンサ前駆体のウェブ上、または、センサが１つ以上のストリップ／バンドの提供前に互いに個片切断された複数のセンサ／電極上に提供されうる。
【００９５】
実質的に一定の幅を有し、互いに実質的に直角に提供されるセンシングおよび導電層／ストリップの両方を有する、その交差が形成する活性領域もまた、センサの長さおよび幅の両方に沿って実質的に一定である。このような実施の形態では、活性領域（ならびに、参照電極を形成する一次および二次導電層の交差領域）は、センサ間で再現可能な方式で提供するのが容易でありうる、直線的な多角形を有するが、しかしながら、任意の適切な活性領域の幾何学的形状を生じる、層の任意の相対配置が用いられて差し支えない。
【００９６】
センサ前駆体、すなわち、基板材料（ならびに、提供される場合には、個片切断時における基板上の導電材料およびセンシング材料）のテンプレートは、すり割り、せん断、押し抜き、レーザー個片切断などを含めた任意の便利な切断または分離手順を用いて、互いに個片切断されうる。これらの切断方法も非常に正確であり、センサの活性領域が、ある程度センサの幅（すなわち、基板尾部）に依存する場合には、センサ間の非常に正確な寸法を有することをさらに確実にする。さらには、最終的なセンサユニットの意図される寸法または境界を超えて延在する幅および／または長さ寸法を伴って提供される各材料（すなわち、一次および二次導電材料、センシング要素、誘電材料、膜など）を用いて、材料の解像およびレジストレーションに伴う問題は、一緒に除去されない場合でも、最低限に抑えられる。
【００９７】
最終的な個片切断された両面性のセンサ構造は、次の範囲の寸法を有する：約４００μｍ〜約１５０μｍの範囲の幅を含む約６００μｍ〜約１００μｍの幅；約６ｍｍ〜約４ｍｍの範囲の長さを含む約１０ｍｍ〜約３ｍｍの尾部長さ；および、約３００μｍ〜約１５０μｍの範囲の厚さを含む約５００μｍ〜約１００μｍの厚さ。このように、センサの埋入可能な部分は、従来のセンサよりも幅ならびに断面において約２０％〜約８０％縮小される。大きさの縮小は、隣接した組織および血管におけるセンサの埋入および衝撃の際に出血および塞栓形成を最小限に抑え、それによって、センサのセンシング要素への検体の側方拡散に対する障害を最小限に抑える。
【００９８】
センサ製造プロセス
上述のように、同一のセンサバッチまたはロット内における（または同一の規格に作られたすべてのセンサを用いた）センサ感度の変動を最小限に抑える少なくとも１つ因子は、センサ間の活性領域の寸法（領域、幅、長さ、および／または半径など）を維持することを含みうる。したがって、本開示の態様は、正確に画成された活性領域を有する検体センサを含む。この精度は、センシング層の実質的に同一の幾何学的形状／形状および寸法を維持することによって達成される。現時点における実践では、センシング層を施用する方法（例えば、インクジェット印刷法による、または高精度ポンプおよび／またはフットニードル（footed needle）による）は、結果的に、センシング層の幾何学的形状／形状および寸法に著しい変化を生じる。
【００９９】
ある特定の実施の形態では、センサごとに実質的に同一の活性領域を有する検体センサを作製する方法およびプロセスが提供される。ある特定の態様は、意図される活性領域の所望の寸法および表面積を達成するために、センシング層および／または導電層の一部を除去する工程を含む。任意の適切なサブトラクティブ法を使用して、目的とする材料方法を除去してもよい。このような方法の１つは、レーザーを使用して、目的とする材料をアブレーション処理またはトリミングする工程を含む。
【０１００】
一般に、レーザーアブレーションシステムは、動力供給（例えば、パルス発生器を備えた）、レーザー媒質、およびビームデリバリーサブシステムを具備する。動力供給パルス発生器は、用いられる場合には、選択されたパルス繰り返し率でパルス化されたレーザー出力を発生させる。ビームデリバリーサブシステムは、トリミングする材料に対しレーザーパルスを位置付け、光サブシステムは光サブシステムの領域内のスポットにレーザーパルスの焦点を合わせるための少なくとも１つのビーム偏向器を具備する。
【０１０１】
ある特定の態様における非常に正確な検体センサの作製のためのビームデリバリーシステムは、固定作用領域を通じてスキャナに送達されるレーザービームを誘導する、１つ以上の可動鏡を備えたスキャナシステム（走査ヘッドシステム）を具備する。このようなスキャナシステムは、ビームの焦点を平面上に合わせる役割をする平面視野対物レンズ（ｆθレンズ）を備えていてもよい。あるいは、ＶａｒｉｏＳｃａｎ（ＳｃａｎＬａｂ社（ドイツ国所在）製）などの高速集束レンズは、ビームの焦点を３次元空間に合わせるために使用されうる。さらなる構成は、例えば少なくとも１つのスキャナ軸と垂直に、部品を１つ以上の軸において動かす、モーション・プラットフォームに接続された１つ以上の軸において動くスキャナを使用して差し支えない。第２の軸は、独立して、または、スキャナが部品を製作するために、モーション・システムと呼応して動く、可能なコンピュータ数値制御（ＣＮＣ）がなされる協調的方法で動作して差し支えない。
【０１０２】
別のビームデリバリーシステムは、部品が典型的にＸ、Ｙおよび／またはシータにおいて動き、光学素子は固定された状態のままである、固定ビームデリバリーシステムを含む。別の態様では、固定ビームシステムは、例えば第１の軸と垂直に、１つ以上の軸において動く、機械加工される部品を保持するステージに対して、１つ以上の軸において動くように構成されうる。また、上述の固定ビームデリバリーシステムとスキャナシステムの組合せも使用して差し支えない。
【０１０３】
さらに別の態様では、マスク投影システムを使用して、マスクの開口領域を通じて材料が除去されうる。各レーザーパルスは、パルスエネルギー、レーザー波長、パルス幅、頻度（または繰り返し率）およびスポット半径を有する。これらのパラメータは、目的とする材料の種類、密度および厚さ、ならびに、除去／トリミングされる材料の要素、領域、または層の大きさに基づいて選択される。本発明のセンサ製造用途では、選択される波長は、小さいスポットサイズ、狭い許容差、高い吸収、およびトリミングのコースに沿って低減または排除された熱影響域（ＨＡＺ）という所望の短波長の利益を生じるのに十分に短い。
【０１０４】
１つの態様では、過剰の材料のトリミングまたはアブレーション処理に紫外線（ＵＶ）レーザーが用いられる。製造プロセスに使用するＵＶレーザーとしては、第三高調波および第四高調波を有する、エキシマレーザーおよびダイオード励起固体レーザーなどの４００ｎｍ未満の紫外線波長を有するレーザーが挙げられる。ある特定の実施の形態では、約１０ｎｍ〜約３８０ｎｍの範囲のＵＶ波長が用いられる。特定の実施の形態では、使用するＵＶレーザーの波長は約３５５ｎｍより短く、およびさらに具体的には、約２６６ｎｍ〜約３５５ｎｍの範囲である。比較的短い波長を使用することから、目的とする材料のアブレーションは、熱反応ではなく、むしろ光化学反応によって生じる。アブレーションは実質的に熱伝導または熱衝撃を伴わないので、アブレーション処理する材料または任意の下地（underlying）層または基板材料に亀裂などの深刻な損傷を生じない。このように、このタイプのアブレーションは、しばしば、「低温アブレーション」と称される。また、低温アブレーションを用いて、アブレーション処理された表面は、実質的に、材料の再沈着または再固化がない。
【０１０５】
ある特定の実施の形態では、約１００ ナノ（１０-9）秒（ｎｓ）より短いパルス幅および約２０〜約８０キロヘルツ（ＫＨｚ）の繰り返し率を有するレーザーを、これらのセンサの製造に使用することができる。本発明の１つの特定の実施の形態では、レーザーアブーションは、超高速レーザーを用いて行って差し支えない。「超高速レーザー」とは、約１０ピコ（１０-12）秒（ｐｓ）より短い、フェムト（１０-15）秒（ｆｓ）の範囲に近い持続時間を有するパルスからなるレーザーのことを指す。これらのレーザーは、ＵＶレーザーを使用した単一光子のアブレーション機構とは異なる多光子の機構を使用してアブレーション処理する。このように、直線光吸収の要件は、ＵＶから近赤外（ＩＲ）スペクトルに至る波長を使用することができる超高速レーザーには適用しない。この目的に適した工業用の超高速レーザーの一例は、、８００ｆｓのパルス幅およびおよそ２００ＫＨｚの繰り返し率を有する、米国カリフォルニア州ペタルマ所在のＲａｙｄｉａｎｃｅ社製造の１５５２ｎｍレーザーである。
【０１０６】
本開示の態様に従った検体センサの製造プロセスと併せて使用するＵＶレーザーの例としては、ダイオード励起固体レーザーなどのネオジムＹＡＧ（Ｎｄ：ＹＡＧ）（１０６４ｎｍ）レーザー、第三高調波または第四高調波発生パッケージを備えたＹＡＧレーザー、ＸｅＦエキシマレーザー、１９３ｎｍの波長を有するフッ化アルゴン（ＡｒＦ）レーザー、および１５２ｎｍの波長を有するフッ素（Ｆ2）レーザーが挙げられる。米国ニューハンプシャー州ペラム所在のＰｈｏｔｏｍａｃｈｉｎｉｎｇ社、米国カリフォルニア州ロサンジェルス所在のＴａｍａｒａｃｋ Ｓｃｉｅｎｔｉｆｉｃ社、米国ニューハンプシャー州ナシュア所在のＲｅｓｏｎｅｔｉｃｓ Ｃｏｒｐｏｒａｔｉｏｎ、および英国オックスフォード所在のＥｘｉｔｅｃｈ Ｌｉｍｉｔｅｄ社などの供給業者によって機械に組み込まれた、米国カリフォルニア州サンタクララ所在のＣｏｈｅｒｅｎｔ，Ｉｎｃ.社から市販されるエキシマレーザーは、特に、使用されうる。
【０１０７】
さらなる態様では、１０６４ｎｍの波長を有するファイバーレーザーまたはダイオード励起固体レーザーを使用して、センサ製造プロセスの間に過剰の材料をトリミングまたはアブレーション処理してもよい。
【０１０８】
材料のトリミングに必要とされるレーザー放射の強度（流束量）は、アブレーション処理する材料に応じて決まる。レーザー強度を調整することによって、電極材料をアブレーションすることなく、センシング材料の全体の厚さをアブレーション処理することができ、あるいは、場合によっては、基板をアブレーションすることなく、センシングおよび導電材料の両方をアブレーション処理することが可能である。あるいは、コーティングの厚さは、アブレーション前に見積もりしてもよく、レーザーの強度および／またはパルス数は、見積もられた厚さを適切にアブレーション処理するように調整することができる。特に、各材料は、特定のパルス幅において材料をアブレーション処理するのに必要とされる流束量を特徴づける、その材料自体のレーザー誘起光破壊（ＬＩＯＢ）閾値を有する。本発明に適したレーザーの流束量もまた、アブレーションの目的とされる層または層の厚さに従って選択することができる。さらには、材料を通じて完全にアブレーション処理するのに必要とされるパルス数を、所定のエネルギーまたは流束量に対して計算することができる。言い換えれば、下地（underlying）層の１つ以上をアブレーションすることなく、トリミング１つ以上の標的とされるまたは選択される層に対して適切な強度を有するレーザーが用いられうる。例えば、ＵＶレーザーは、存在する場合には、下部導電層または任意の介在層をアブレーションすることなく、センサのセンシング層をトリミングするように調整されて差し支えない。あるいは、さらなる例によれば、レーザーは、センシングおよび導電層の両方の深さまたは厚さに対して、しかしながら、導電層の下で、トリミングするように調節されうる。
【０１０９】
１つの態様では、センシング層の表面積の大きさおよび／または幾何学的形状／形状が、作用電極の下地（underlying）導電材料の表面積の大きさおよび／または幾何学的形状／形状と適合するように、センシング層からの材料が除去される。導電材料およびセンシング材料の両方の寸法が、センサ活性領域の意図される表面積の周辺を超えて延在する別の態様では、両方の層の部分は、所望の寸法に至るまで、アブレーション処理／トリミングされうる。さらに別の態様は、所望の活性領域に作用するように、センシング層および下部導電層の小部分またはくさびのみを除去することを含む。以下に説明する３種類の典型的なセンサの各々は、最初に、アブレーション前またはトリミング前の構成（それぞれ、図１１Ａ〜１１Ｃ、１３Ａ〜１３Ｃ、および１５Ａ〜１５Ｃを参照）、次に、アブレーション後またはトリミング後の構成（それぞれ、図１２Ａ〜１２Ｃ、１４Ａ〜１４Ｃおよび１６Ａ〜１６Ｃ参照）について示されている。
【０１１０】
特に図１１Ａ〜１１Ｃおよび図１２Ａ〜１２Ｃを参照すると、例証されるセンサ１１００は、基板の長さの少なくとも一部に沿って延在してセンサの作用電極を形成する導電層１１０４を有する基板１１０２を備える。導電層１１０４は、基板１１０２の長さの大部分に延在し、幅または半径寸法ＷAを有する幅広いまたは大きい遠位部１１０４ｂで終わる、狭い近位部１１０４ａを備える。ある特定の態様では、導電層１１０４は、全長にわたり一定の幅を有していて差し支えなく、あるいは、幅広い近位部および狭い遠位部を有しうる。遠位部１１０４ｂは、任意の適切な形状を有していてもよく、限定はしないが、円形（図示するように）、卵形、直線的、または他の適切な形状が挙げられる。
【０１１１】
この実施の形態では、遠位部１１０４ｂのみが、センサの活性領域の表面積 寸法（幅／長さまたは半径）を画成するように意図される。すなわち、ＷAは、意図される活性領域１１１０の所望の幅または半径を画成する（図１２Ａ〜１２Ｃ）。導電層１１０４の遠位部１１０４ｂにわたり、センシング層１１０６が配置される。好ましくは、センシング層１１０６は、ある形状を備える、または、下部導電層１１０４の幾何学的形状および寸法に厳密にまたは実質的に厳密に等しいまたは適合する、幾何学的形状および表面積を有する。これは、コンピュータ制御された デジタルカメラを用いて、または顕微鏡による外観検査によって、自動的に検証されうる。
【０１１２】
しかしながら、図１１Ａ〜１１Ｃに示すように、完全にまたはある程度、その境界または周辺が下部導電層１１０４の境界または周辺を超えて延在するように、過剰量のセンシング材料１１０６が提供されるべきであり、過剰の材料マージン１１０５は、上述のレーザー法によってトリミングされて、図１２Ａ〜１２Ｃに示すように、所望の活性領域１１１０の形状および寸法を提供しうる。センサ１１００は、さらに、導電層１１０４の近位部１１０４ａの少なくとも一部に配置または積層された絶縁または誘電体層１１０８を備える。絶縁／誘電体層１１０８、ならびに、追加の導電および誘電体層は、典型的には、上述のレーザー・トリミングの前に提供される。
【０１１３】
上記方法および技術に従って製造された別のセンサが、アブレーション前の構成における図１３Ａ〜１３Ｃ、およびアブレーション後の構成における図１４Ａ〜１４Ｃに例証されている。センサ１３００は、基板の長さの少なくとも一部に沿って延在してセンサの作用電極を形成する、導電層１３０４を有する基板１３０２（これは、幾つかの導電層の最初の層であって差し支えなく、各センサ電極について１つの層が存在する）を備える。導電層１３０４は、上述の導電層１１０４（図１１Ａ〜１１Ｃ）（およびそれらの任意の前述のバリエーション）と同様の構成を有し、基板１３０２の長さの大部分に延在し、幅広いまたは大きい遠位部１３０４ｂで終わる、狭い近位部１３０４ａを有する。しかしながら、図１３Ａおよび１４Ａに示すように、例えば、遠位部１３０４ｂは、センサの意図される活性領域１３１０の表面積（ＷA×ＬA）より大きく（図１４Ａ〜１４Ｃ）、この実施の形態では、正方形または長方形の形状を有する。
【０１１４】
導電層１３０４の遠位部１３０４ｂの上には、センシング層１３０６が配置される。図１１Ａ〜１１Ｃの大きい、予めトリミングされたセンシング層１１０６とは異なり、センシング層１３０６は下部導電層１３０４より小さいが、依然として、意図される活性領域１３１０の所望の量より大きい。このように、センシング層１３０６の寸法、ならびに導電層１３０４ｂの寸法は、意図される活性領域１３１０を超えて延在する。上述の本開示の実施の形態のレーザー技術を使用し、過剰の材料マージン１３０５は、図１４Ａ〜１４Ｃに示すように、所望の活性領域１３１０の形状および寸法を提供するようにトリミングまたはアブレーション処理されうる。導電層１３０４の近位部１３０４ａの少なくとも一部に配置または積層された絶縁／誘電体層１３０８も示されている。
【０１１５】
上述の方法および技術に従って製造された別のセンサが、アブレーション前の構成について図１５Ａ〜１５Ｃに、およびアブレーション後の構成について図１６Ａ〜１６Ｃに例証されている。図示するように、センサ１５００は、基板の長さの少なくとも一部に沿って延在し、センサの作用電極を形成する、導電層１５０４（これは、幾つかの導電層の最初の層であって差し支えなく、各センサ電極について１つの層が存在する）を有する基板１５０２を具備する。導電層１５０４は、上述の導電層ならびに論述したバリエーションと同様の構成を有し、基板１５０２の長さの大部分に延在し、幅広いまたは大きい遠位部１５０４ｂで終わる、狭い近位部１５０４ａを有する。導電層１５０４の遠位部１５０４ｂの上には、下部導電層１５０４と同様の幾何学的形状を有するが、下部導電層１５０４よりも小さい表面積を有するセンシング層１５０６が配置される。意図される活性領域１５１０（図１６Ａ〜１６Ｃ）の大きさは導電材料１５０４とセンシング材料１５０６の重複する表面積に応じて決まることから、導電層がセンシング層の周辺を超えて延在するか否か、またはその逆であるか否かは重要ではないであろう。このように、２つの層のそれぞれが少なくとも、意図される活性領域１５１０と同等の大きさの表面積を有する限り、一方または両方の層の過剰の材料１５０５は、トリミングまたは除去されて正味の重複する表面積を提供し、したがって所望の活性領域を提供しうる。この実施の形態では、導電層１５０４およびセンシング層１５０６の両方の表面積は、図１６Ａ〜１６Ｃに示すように、活性領域１５１０の意図される表面積より大きい。
【０１１６】
上述のレーザー技術を使用して、一方または両方の層の任意の過剰の材料１５０５をトリミングまたはアブレーション処理して、所望の活性領域１５１０の表面積を提供してもよく、ここで、除去すべき過剰の材料１５０５の形状は、トリミング方法を促進するための任意の適切な形状でありうる。例えば、図１５Ａおよび１６Ａに示すように、各層のおよそ４分の１は、層の一要素またはくさび１５０５を除去することによってトリミングされている。一部の実施の形態では、除去すべき過剰の材料は、両層の周辺内に排他的に存在しうる。特定のレーザー切断の形状が不適切な場合には、その後、最短の必要な道筋に沿ってレーザー・トリミングすることが好ましいであろう。上述のセンサ実施の形態と同様に、絶縁／誘電体層１５０８は、近位導電部分１５０４ａの少なくとも一部に配置または積層された。追加の導電および誘電体層は、本明細書に記載されるように提供されて差し支えない。
【０１１７】
記載するある特定の実施の形態では、所望の活性領域の半径または幅／長さ寸法（ＷA、ＬA）は約０．１ｍｍ〜約１．０ｍｍの範囲であり、好ましくは約０．２ｍｍ〜約０．６ｍｍであり、得られた表面積の範囲は約０．０５ｍｍ2〜約０．５ｍｍ2であり、好ましくは約０．０８ｍｍ2〜約０．１５ｍｍ2である。
【０１１８】
上述のように、本開示のさまざまな実施の形態に従って、本明細書に記載の製造プロセスおよび手順は、センサロット内またはバッチにおける最小限のセンサ間の感度変動を有する再現可能な検体センサを生じる、明確に画成された活性領域および実質的に一定の膜寸法（例えば、厚さ）を提供する。したがって、実質的に安定な保管寿命プロファイルに加えて、最小限の感度変動は、インビボ使用の間のセンサ較正の必要性の排除をもたらす。ある特定の実施の形態では、製造したロット内および／またはロット間のセンサは、約５％以下の変動係数（ＣＶ）を有するように提供されて差し支えなく、例えば約４．５％以下、例えば約４％以下、例えば約３％以下であり、ある特定の実施の形態では１〜３％のＣＶが達成される。
【０１１９】
センサ包装
本開示の実施の形態は、センサがインビボ使用の前に曝露されうる、周囲空気の環境影響、特に湿度に、センサが実質的に影響されないように、すなわち、センサの保存寿命の間に、センサ特性の変動、およびセンサの安定性の低下を最小限に抑え、使用者に基づいた較正の必要性を取り除くため、インビボ検体センサを包装する工程を有してなる。
【０１２０】
本開示の態様では、対象とするセンサは、個別に包装される（が、工場において、取り外し可能な包装内に２つずつまたはまとめて包装されてもよく、その包装は、封入したセンサが使用されるまで、すなわち、使用者の体内に埋入されるまで取り外されるべきではない）。取り外し可能な包装は、１つ以上の要素、部品または材料を含みうる。
【０１２１】
包装は、トレイおよび蓋またはカバーを有する、２要素の筺体構造を備える。トレイは、センサの保存寿命にわたる、配送、取り扱い、および保管の間に、センサを保護するための比較的剛性の構成を有しうる。１つの実施の形態では、トレイは、そこを通じてセンサが受け入れられ、回収される開口部、および、センサを保持する空間または区画を提供する、閉じられた、または受け入れ可能な部分を有する。１つの態様では、パッケージ内の空気量を最小限に抑えると同時に、包装内のセンサの動きを最小限に抑えるために、トレイは、パッケージの未占有の体積を最小限に抑える形状および大きさを有する。さらには、トレイは、センサおよび任意の他の包装された内容物の形状に適合させて 、封入包装内の過剰な体積を排除するために、内面に起伏があってもよい。トレイはまた、他の包装などに適合するように、外面に起伏があってもよく、対応するカバーまたは蓋と嵌合する、外側に延在する端またはへりを有していてもよい。
【０１２２】
１つの態様では、包装用のカバーまたは蓋は、少なくともトレイの開口部にわたって延在し、パッケージが未開封の間、実質的に気密封止を提供する。１つのバリエーションでは、カバーは、少なくともその周囲に接着剤面を有する、比較的可撓性のあるシートなどであり、このカバーは、トレイの開口部の周りに延在する端縁またはへりに容易に施用され、そこから剥ぎ取られる。別の実施の形態では、カバーは、トレイの開口部との密嵌状態（tight-fit）を提供するように構成された周辺部を備えた、実質的に平面的な構造を有する比較的剛性の蓋である。特に、蓋は、トレイを備えたスナップ式の閉鎖を提供するために、トレイの開口部の形状に適合した形状を有する、起伏のある周辺部を有していて差し支えない。この実施の形態では、射出成形したポリマーなど、トレイに使用するのと同一の材料を、蓋の形成に使用して差し支えない。
【０１２３】
別の実施の形態では、包装は、２つの嵌め合い部分の間に、例えばリビングヒンジなどのヒンジを有する、２等分した嵌め合い部分のいずれかまたは単一の要素から作られた貝殻構造を有しうる。２等分した半分または部分は、類似した構造であって差し支えなく、例えば、互いに鏡像体であるか、または、可変の形状、大きさ、および／または体積を有していてもよい。２等分した半分または部分は、比較的剛性であって差し支えなく、それらの接触する端縁の周りに接着剤によって、またはスナップ式の嵌め合い構造によって閉鎖状態が保持されうる。
【０１２４】
任意の実施の形態では、包装は、空気および水分が検体センサを備えた筺体内部に入るのを阻止または抑止する材料でできていてもよい。さらに、例えば、トレイまたは１つ以上のパッケージ筺体部分などの包装は、検体センサ内の試薬を保護し、それによってセンサの保存寿命および／または所望の使用寿命、すなわち、使用する場合にセンサが包装材料から取り出された後の期間を維持または延長するため、包装内の適切なまたは所望の湿度レベルの維持に役立つ乾燥剤材料を含むための空間または区画を備えていてもよい。乾燥剤は、センサ包装の全般的なプロファイルを最小限に抑え、乾燥剤材料によるセンサ試薬の汚染の危険性を最小限に抑える形態であって差し支えない。
【０１２５】
本開示の実施の形態はまた、１つずつ、またはアレイ形式またはセット配置で集合的に、検体センサを包装する方法も含み、この方法は、本包装内にセンサを提供する工程を有してなる。ある特定の方法は、さらに、乾燥条件下でセンサを封止する工程を含む。
【０１２６】
センサロットの製造の際のセンサ間の感度またはセンサロット間の感度の公称変化でさえも、工場で較正されたセンサまたは工場補正を必要としないセンサは、センサの保存寿命の間の環境曝露に起因して、製造後に感度のドリフトを被りうる。使用前、すなわち約６〜約１８ヶ月またはそれ以上でありうる、それらの保存寿命の間に、センサが暴露されうる、周囲空気の環境影響など、特に湿度の影響を最小限に抑えるため、対象とするセンサは、工場において、取り外し可能な滅菌包装内に個別に包装され（しかしながら、２つずつまたはまとめて包装されてもよい）、これは、封入したセンサが使用されるまで、すなわち、使用者の体内に埋入されるまで取り出されない。
【０１２７】
取り外し可能な包装は、１つ以上の筺体要素および／または材料を含みうる。１つの実施の形態では、図１７および１８に示すように、センサ包装筺体１７００は、トレイ１７０２および蓋またはカバー１７０４およびその内部に収容される乾燥剤１７０６を具備する。上述の１つ以上の実施の形態に従って製造した検体センサを備えた、検体センサ組立体１７０５は、包装１７００内に気密封止されるが、ここで、前記検体センサは、取り出されるまでは（例えば、センサ挿通の開始など）、センサインサータに典型的には動作可能に装着され、センサインサータは、センサをインサータ内に維持する随意的な安全要素（例えば安全ピン）を有する。本開示は、本明細書に例証および論述されたものに加えて、包装１７００およびそのさまざまな要素のバリエーションを提供する。追加の情報は、参照することによってすべての目的においてその開示が援用される、「センサの挿通のための検体センサおよび装置（Analyte Sensor and Apparatus for Insertion of the Sensor）」という発明の名称で２０１０年２月１日に出願した米国特許出願第１２／９８１，１２９号明細書で確認することができる。
【０１２８】
１つのバリエーションでは、図１９Ａ〜１９Ｃに示すように、トレイ１７０２は、センサの保存寿命にわたり、配送、取り扱い、および保管する間に、封入したセンサ組立体１７０５（図１７および１８にのみ示す）を保護するため、比較的剛性の構造を有する。トレイ１７０２は、そこを通じてセンサ１７０５が受け入れられ、回収される、開口部または側部１７０８、および、内部にセンサ組立体１７０５および乾燥剤１７０６がそれぞれ保持された、容器または区画１７１０ａ、１７１０ｂを提供する閉鎖部分または筺体１７１０を有する。トレイ筺体１７１０は、パッケージ１７００内の空気量を最小限に抑えるため、パッケージの未占有の体積（すなわち、センサ組立体１７０５または乾燥剤１７０６によって占有されていない空間）を最小限に抑える形状および大きさを有しうる。特に、筺体１７１０は、封入したセンサ組立体１７０５および、例えば乾燥剤１７０６などの任意の他の包装された内容物の形状に適合させて、封入した包装内の過剰な体積をさらに排除し、かつ、包装内に封止された後にセンサ組立体１７０５および乾燥剤１７０６の動きを最小限に抑えるため、内面に起伏があってもよい。トレイ筺体１７１０は、外側の包装（図示せず）内などに嵌め合い係合するまたは入れ子にするため、外面に起伏があってもよい。筺体１７１０は、透明または不透明でありうる。トレイ１７０２は、対応するカバーまたは蓋１７０４と係合するための閉鎖部分１７１０から半径方向外向きに延在する端またはへり１７１２を有していてもよい。トレイ１７０２のこれらの特徴および目的を達成するのに適した材料は、ポリプロピレンなどの射出成形ポリマーである。
【０１２９】
包装カバーまたは蓋１７０４は、トレイ１７０２の開口部１７０８を覆い、パッケージ１７００が未開封の密閉条件にある間、実質的に気密封止を提供しうる。１つのバリエーションでは、カバー１７０４は、少なくともその周囲に接着剤面を有する、比較的可撓性のあるシートなどであり、トレイの開口部１７０８の周りの端縁またはへり１７１２に容易に施用され、そこから剥ぎ取られる。このカバーのバリエーションに適した材料としては、アルミ箔、ポリエチレンフィルムなど、あるいはこれらの材料の２つ以上の積層複合材が挙げられる。別のバリエーションでは、カバーは、トレイの開口部１７０８との密嵌状態を提供するように構成された周辺部を備えた、実質的に平面的な構造を有する比較的剛性の蓋であってもよい。特に、蓋は、トレイを備えたスナップ式の閉鎖を提供するために、トレイの開口部の内側の周辺部に適合させた形状を有する、起伏のある周辺部を有していて差し支えない。このバリエーションでは、例えばポリプロピレンなどの射出成形したポリマーなど、トレイの製造に使用する材料を、蓋の形成に使用して差し支えない。
【０１３０】
別の実施の形態では（図示せず）、包装は、嵌合形式で組み合わされた、少なくとも２つの比較的剛性の要素を有しうる。例えば、包装は、例えばリビングヒンジなどのヒンジを介して、互いに（開口部および閉鎖部）相互接続した、可動の貝殻構造を有しうる。２等分した半分または部分は、類似した構造であって差し支えなく、例えば、互いに鏡像体であるか、または、可変の形状、大きさ、および／または体積を有していてもよい。２等分した半分または部分は、好ましくは比較的剛性であり、それらの接触する端縁の周りに接着剤によって、またはスナップ式の嵌め合い構造によって閉鎖状態が保持されうる。
【０１３１】
任意の実施の形態では、検体センサ包装は、水分および蒸気が検体センサを備えた筺体内部に入るのを阻止または抑止する材料でできていてもよい。例えば、図１７および１８の包装１７００の水蒸気透過率（ＭＶＴＲ）は、典型的な大きさのセンサ／インサータについてのトレイおよび蓋の必要寸法から判断して、約０．５ｍｇ／日以下、例えば、約０．４６ｍｇ／日未満でありうる。
【０１３２】
比較的最小限のＭＶＴＲの維持に加えて、例えば、トレイ１７０２または１つ以上のパッケージ筺体部分などの包装は、検体センサ内の試薬を保護し、それによって、センサの保存寿命および／または所望の使用寿命、すなわち、センサ１７０５が包装材料から取り出された後の期間を維持または延長するために、包装内の適切な湿度レベルの維持に役立つ乾燥剤材料１７０６を含めるための空間または区画１７１０ｂを備える。乾燥剤１７０６は、ある形態であって差し支えなく、センサ包装１７００の全般的なプロファイルを最小限に抑え、かつ、乾燥剤材料によるセンサ試薬の汚染の危険性を最小限に抑える体積を有する。ある特定の実施の形態では、図１７および１８に示すように、乾燥剤材料１７０６は、錠剤、ブロックまたはシートなどの単一の固体形態、例えば、厚い紙などの形態で存在する。他の実施の形態では（図示せず）、乾燥剤は、サシェ内に包装された粒状の形態または、ゲル状の小袋の形態でありうる。乾燥剤１７０６の単一の要素は、乾燥剤材料がセンサ組立体１７０５上に散らばるのを防ぐために、医薬品等級のコーティング材でコーティングされてもよい。乾燥剤の質量は、さまざまな因子に応じて決まり、限定はしないが、包装のＭＶＴＲ、包装された要素の水分、保存温度および湿度などが挙げられる。対象とする乾燥剤は、典型的な周囲保存条件における約１７．５％以上の吸収能、すなわち、約２５℃および約３０％のＲＨ、および約９０．０％以上の安全率を有しうる。本発明とともに使用する適切な乾燥剤材料としては、例えば、シリカ・ゲル、硫酸カルシウム、塩化カルシウムおよび分子篩が挙げられる。センサ／インサータ組立体を有する包装に適したこのような乾燥剤の例としては、例えば、Ｍｕｌｔｉｓｏｒｂ Ｔｅｃｈｎｏｌｏｇｉｅｓ社（米国１４２２４ニューヨーク州バッファロー、ハーレムロード３２５所在）製造の２．６ｇのシリカ・ゲル錠剤および１０ｇのシリカ・ゲルパックが挙げられる。
【０１３３】
対象とする乾燥した包装は、センサの保存寿命（例えば、約１８ヶ月）および使用寿命（例えば、約３〜約３０日間以上、例えば、３日間〜約１４日間、例えば、３日間〜約１０日間 例えば、３日間〜約７日間）にわたり、周囲空気（実質的に典型的な保存温度、湿度および大気圧条件、すなわち、約２５℃、６０％の相対湿度および１９．０ｍｂａｒ）からの負の環境影響に実質的に影響されない、これらの時間枠をも延長しうる、埋入可能な検体センサの提供を可能にする。ある特定の実施の形態では、センサ保存寿命は、最大で約２４ヶ月以上に延長され、センサ使用寿命は約３日間〜最大で約１４日間以上に延長されうる。
【０１３４】
本包装構造によって、センサ、特にセンサの検体試薬材料にもたらされる保護に起因して、センサの感度は公称変化にのみさらされ、したがって、使用者に基づいた較正は必要とされなくて差し支えない、すなわち、センサは工場較正のみを必要とする。さらには、センサロットが、最初からセンサ間の感度の十分に極小の変動で再現可能な場合には、本包装を用いて包装されたセンサの、製造の間または後、あるいはインビボ使用の間のセンサ特性の較正または調整は必要とされなくてもよい。
【０１３５】
本開示はまた、持続検体モニタリング・システムのための埋入可能な検体センサを包装する方法も含む。１つの方法では、センサまたはセンサ／インサータ組立体は、第１の包装要素に配置され、第２の包装要素は第１の包装要素に封止される。封止は、接着剤または２つの要素の熱融着によって達成されうる。図１７および１８のトレイカバーの実施の形態１７００では、例えばセンサ組立体（センサおよびインサータ）１７０５は、乾燥剤１７０６と一緒にトレイ１７０２に配置され、その後、例えば、トレイの周辺部１７１２の周りに熱および圧力を印加することによって、カバーまたは蓋１７０４がトレイ１７０２に気密封止される。
【０１３６】
既定のチャネル長を用いた感度調節
図２０Ａは本開示の１つの実施の形態における検体センサの作用電極の上面図を例証しており、図２０Ｂおよび２０Ｃは、それぞれ、図２０Ａの作用電極の線ＢおよびＣにおける断面図を例証している。図２０Ａ〜２０Ｃを参照すると、作用電極２０００は、１つ以上のチャネル２０４０を備えうる。ある特定の態様では、チャネル２０４０は、作用電極２０００に施すセンシング材料の位置および量を規定するのに用いられる。作用電極２０００のチャネル２０４０の長さＬおよび数は、センサの感度を決定しうる。ある特定の実施の形態では、チャネル２０４０はカバーレイ材料２０３０に刻まれ（図２０Ｂ参照）、作用電極２０００の導電層２０２０の上に施される。論じたように、一部の実施の形態では、導電層２０２０は金を含んでもよく、作用電極２０００の導電層２０２０は、センサの基板の長さ２０１０の少なくとも一部の上に形成される。
【０１３７】
図２０Ａ〜２０Ｃを参照すると、ある特定の実施の形態では、ウェル２０５０がカバーレイ材料２０３０に刻まれ（図２０Ｃ参照）、チャネル２０４０に接続される。ウェル２０５０は、センシング層の施用に使用することができ、したがって、センシング層がウェル２０５０内に配置され、ある特定の実施の形態では、センシング層が毛管現象によってチャネル２０４０を満たす。センシング層がチャネル２０４０を満たし、次いで乾燥した後、電極は線Ｂに沿って切断され、ウェル２０５０が除去され、センシング層で満たされたチャネル２０４０のみが残る。他の実施の形態では、ウェル２０５０を使用する代わりに、センシング層は、直接、チャネル２０４０上に配置されてもよい。
【０１３８】
図２１Ａ〜２１Ｄは、１つの実施の形態における、図２０Ａの作用電極へのセンシング層の施用のさまざまな段階を例証している。図２１Ａ〜２１Ｄを参照すると、１つ以上のチャネル２０４０（図２０Ａ）およびウェル２０５０が作用電極２０００のカバーレイ材料２０３０内に刻まれる（図２１Ａ）。センシング層は、ウェル２０５０内に堆積され、チャネル２０４０は、図２１Ｂに示すように、毛管現象によってセンシング層で満たされる。堆積後、１つの実施の形態では、センシング層はチャネル２０４０へ、およびウェル２０５０の端縁へと移動し、図２１Ｃに示すように、ウェル２０５０の周辺部の周りに環状に乾燥する。センシング層がチャネル２０４０の端縁に移動すると同時に、センシング層が乾燥する際にチャネル２０４０の導電性の領域の実質的にすべてを覆うように、チャネル２０４０が十分に狭くなるように、チャネル２０４０は、幅が狭くなるように構成される。図２１Ｄに示すように、作用電極は、次に切断されて、ウェル２０５０が除去され、作用電極上にセンシング層で満たされたチャネル２０４０のみが残される。
【０１３９】
このように、本開示のある特定の態様では、インビボ検体センサは、その上に提供されるセンシング層を備えた導電性の基板（例えば、金を用いた）を画成するチャネル、および、チャネルを満たし、チャネルを所望の寸法（長さなど）にトリミングしてセンサ感度を制御する（例えば、センシング層によって覆われた導電性の金基板の領域を正確に画成することによる）技術を含みうる。
【０１４０】
全般的なシステムおよびアルゴリズム
さらなる態様では、プログラミングまたは実行可能命令は、使用の間に、インビボセンサに時間的に変化する調整アルゴリズムを提供するため、例えば、データ処理装置、メモリ要素、通信要素などを備えた、例えば、電子機器組立体、および／または受信機／制御装置ユニットを具備する、検体モニタリング・システムのデータ処理装置に提供または保存されうる。すなわち、１つの実施の形態では、インビボで使用した検体センサのレトロスペクティブ統計分析および対応するグルコース濃度のフィードバックに基づいて、規定のまたは解析された曲線またはデータベースが生成され、これは、時間ベースであり、１つ以上のインビボセンサパラメータに追加の調整を提供して、安定性プロファイルにおける潜在的なセンサドリフト、または他の因子を補償するように構成される。
【０１４１】
例えば、初期のセンサ挿通または経皮的配置から測定したある特定の期間、インビボセンサ感度が低下する場合には、センサ感度は、所定の期間（例えば、限定はしないが、最初のセンサ挿通から１日または２日間）にわたり、定常状態のレベルに近づきうる。したがって、例えば、変動する時間ベースの調整基準または因子を有する参照テーブルなどのデータベースは、例えば、最初のインビボセンサ挿通から開始して約２４時間〜約３６時間など、所定の製造後の期間、参照テーブルから保存された調整パラメータを適用して、初期の２４または３６時間の期間（または統計的に決定されうる幾らかの他の適切な期間）の予想される感度変動について修正または別に補償されうるように、電子機器組立体および／または受信機／制御装置ユニットのデータ処理装置に提供またはプログラム化されうる。このように、ある特定の実施の形態では、インビボ使用の間、ＣＧＭシステムによって、検体センサによる自動実行のための感度調整スケジュールを生成または決定するために、センサ挙動は、製造の間に、試験および／またはセンサの特性化を統計的に推定されうる。
【０１４２】
図２２は、本開示の１つの実施の形態に従った検体モニタリング・システムに使用するための検体センサに関する、典型的な時間的に変化する感度ドリフトプロファイルを例証している。図２２に示すように、時間的に変化するパラメータβ（ｔ）は、インビボ使用の間のセンサ挙動の解析に基づいて定義または決定され、時間的に変化するドリフトプロファイルは、図２２に示すように決定され、ここで、定義された時間的に変化するパラメータ β（ｔ）は、各製造センサを用いてコード化またはプログラム化されて差し支えなく、例えば、センサから得られた信号に時間変化パラメータβ（ｔ）を適用するために、例えば受信装置など、検体モニタリング・システムのデータ処理装置に自動的に提供される。
【０１４３】
すなわち、１つの態様では、例えば、図２２に示すようなセンサドリフトプロファイルを使用して、検体モニタリング・システムは、センサドリフトプロファイルに基づいてセンサ感度について補償または調整するように構成されうる。ある特定の態様では、センサ感度に対する補償または調整は、センサデータが検体センサから受信される際に、補償または調整またはその両方が自動的におよび／または反復して行われるように、検体モニタリング・システムの受信装置または制御装置またはデータ処理装置にプログラム化されうる。代替となる実施の形態では、調整または補償アルゴリズムは、対応する機能またはルーチンの使用者による開始または活性化の際に、検体センサ感度プロファイルに対する調整または補償が行われる、または実行されるように、使用者によって（自己開始性または自己実行性ではなく）開始または実行されてもよい。
【０１４４】
図２３は、上述の方法に従って製造したセンサロットに由来する１６個の検体センサの、インビトロ試験に応答した感度変動を例証している。さらに具体的には、１６個の検体センサを、グルコース濃度の既知の溶液を用いたインビトロ試験条件（例えば、ビーカー内）で試験し、センサ応答を決定した。図２３を参照すると、およそ４時間にわたり、１６個のセンサのそれぞれが、グルコース濃度の漸増に対し、実質的に一貫性のある応答または感度を示したことが観察される。すなわち、同一の製造したセンサロットの１６個のセンサのそれぞれが、同一の既知のグルコース濃度に対して、非常に類似した様式で応答した。例えば、再び図２３を参照すると、１６個のセンサのそれぞれについてのプロットで示された各段階は、グルコース濃度の増加（Ｘ軸に示す期間にわたり）および、Ｙ軸に示すグルコース濃度の増加に対するセンサ応答に関係している。
【０１４５】
言い換えれば、図２３をさらに参照して、既知のグルコース濃度を有するビーカー内で試験した１６個のセンサのそれぞれが、互いに比較してほぼ同一のまたは非常に類似した、ビーカー溶液におけるグルコース濃度に対する応答（すなわち、各センサによって発生した電流信号）を示したことがわかる。既知のグルコース濃度レベルに基づいたビーカー溶液中で試験した１６個のセンサの結果または応答が図２４に示されている。すなわち、図２４を参照すると、上記方法に従って製造した１６個のセンサは、上述のようにインビトロで試験する場合、ビーカー溶液におけるグルコース濃度の漸増に対する１６個すべてのセンサの信号応答が、実質的に一貫している、図２４に示す応答または特性を示したことが分かる。すなわち、インビトロで試験した１６個のセンサの変動係数は、およそ５％未満であり、さらに具体的には、およそ３％であることが実験結果から観察することができる。インビトロで試験した１６個のセンサと同一の製造ロットに由来するセンサを、糖尿病状態を有する被験体におけるインビボでさらに試験または使用し、その結果を、図２５と併せて、以下に説明および例証する。
【０１４６】
図２５は、上述した本開示の１つ以上の実施の形態に従って製造した検体センサに基づいたクラーク・エラー・グリッドである。さらに具体的には、上述の１つ以上の実施の形態に従って製造した２４個のセンサに由来するデータを、５日間を２サイクル（例えば、合計約１０日間）、各センサを装着した１２名の糖尿病の被験者に基づいて得た。本明細書に記載される実験結果は、１つの較正因子またはパラメータを２４個のセンサのそれぞれに適用することによる模擬的な工場補正を含み、較正因子は遡及的に決定されたことに留意されたい。
【０１４７】
２４個のセンサから得られたデータは、下記表において、得られたデータ点の８７．４％はクラーク・エラー・グリッドのゾーンＡ（臨床的に正確）に存在し、得られたデータ点の１１．９％はクラーク・エラー・グリッドのゾーンＢ（臨床的に許容できる）に存在することをさらに示している。
【０１４８】
【表１】
2018029983.tif 000002
【０１４９】
センサロットにおけるすべてのセンサにとって単一の較正因子を使用することは、クラーク・エラー・グリッドのゾーンＡとＢを合計して、およそ９９．３％の精度を提供する。前述の内容およびセンサの製造ロットに由来するセンサの上述の結果に基づいて、糖尿病の被験体におけるセンサ応答およびインビボセンサ応答を決定するためのビーカー試験から得られた結果は、非常に類似した特性を示し、工場補正の結果が臨床的に許容できるセンサ精度になるように、予測可能なセンサ感度を生じる。したがって、上述の実施の形態に従って製造したセンサは、ある特定の実施の形態におけるインビボ使用の間の使用者によるセンサの較正開始の必要性をなくすように、最小限のまたはごくわずかな感度変動しかもたらさないことが分かる。
【０１５０】
本実施の形態は、製造する１つのセンサロット内のサンプルセンサの選択数、例えば、センサが１，０００個以上のセンサロットに由来する１０サンプルのセンサ、または、センサが１，０００個以上のセンサロットに由来する１６サンプルのセンサ、または、センサが１，０００個以上のセンサロットに由来する２５サンプルのセンサなどに基づいた正規化曲線または傾斜（または定義可能な関数関係）の決定も含む。センサロットの定義されたサンプルサイズを用いて、センサロットに由来する各サンプルセンサの特性またはパラメータが決定され、これには、例えば、１つまたは多数の点における膜の厚さ、または、例えば、センサ上に画成された活性領域の表面積、体積、高さ、長さ、および／または形状（例えば、１つまたは多数の点で測定して、凹面、凸面、平面または傾斜しているなど）などの活性なセンシング領域の寸法を含まれる。その後、ある特定の実施の形態では、これらの特性の平均値は、例えば、決定する測定値の平均化によって決定されてもよく、例えば、センサロットのサンプルセンサの平均膜厚、膜表面における１つ以上の点における平均膜厚、センシング領域の平均表面積、またはセンシング領域の平均寸法および／または活性領域表面上の１つ以上の点における平均表面積厚さなどである。さらに、ある特定の実施の形態では、センサロットのサンプルセンサに由来する、これらの測定または決定したパラメータまたは特性の変動係数（ＣＶ）も決定される。加えて、各センサロットのサンプルセンサの感度も決定されうる。
【０１５１】
上述のサンプルセンサ特性の決定に基づいて、実施の形態は、サンプルセンサが許容される基準または範囲内にある特性を示すか否かを決定するため、サンプルセンサの各決定値または特性の受容される数値またはレベルに対して、決定した特性を比較することを含む。例えば、サンプルセンサの感度の平均値を、５％未満、または３％未満などの変動係数を有するセンサ感度と関連付けられた所定の感度と比較して差し支えない。比較結果が許容される平均感度値を示す場合は、センサロット全体が受け入れられ、サンプルセンサに基づいて決定された平均感度値がセンサロット内の各センサに与えられる。
【０１５２】
ある特定の実施の形態では、センサロット内の各センサ（サンプルセンサ以外）は、センサの１つ以上の点における膜厚などの特性を測定または決定するために、非破壊的に試験されて差し支えなく、活性領域の表面積／体積などの物理的特性を含めた他の特性も測定または決定されて差し支えない。このような測定または判定は、例えば、光学スキャナまたは他の適切な測定装置またはシステムを使用して自動的に行われてもよく、決定されたセンサロット内の各センサのセンサ特性は、各センサに与えられた較正パラメータまたはコードの可能な修正のため、サンプルセンサに基づく対応する平均値と比較される。例えば、センサ感度として規定された較正パラメータでは、感度は、膜厚にほぼ反比例し、したがって、例えば、センサとして同一のセンサロットに由来するサンプルセンサの平均膜厚よりもおよそ４％大きい測定された膜厚を有するセンサでは、１つの実施の形態におけるそのセンサに与えられた感度は、サンプリングされたセンサ（sampled sensor）から決定された平均感度を１．０４で割った値である。同様に、感度はセンサの活性領域にほぼ比例することから、同一のセンサロットに由来するサンプリングされたセンサの平均活性領域よりおよそ３％低い測定した活性領域を有するセンサでは、そのセンサに与えられた感度は、平均感度に０．９７を掛けた値である。与えられた感度は、センサの各試験または測定についての多数の連続的な調整によって、サンプリングされたセンサに由来する平均感度から決定されうる。ある特定の実施の形態では、各センサの試験または測定は、活性なセンシング領域の膜厚および／または表面積または体積に加えて、膜の一貫性または質感の測定をさらに含みうる。
【０１５３】
ある特定の実施の形態では、センサロットの各センサは、例えば、光学または他の適切な測定装置またはシステムを使用して、例えば、限定はしないがセンサの１つ以上の位置における膜厚、膜の一貫性および／または質感、例えば活性領域の幾何学的形状を含めた活性領域の大きさ、表面積、体積、および／または寸法などの特性を決定するために、独立して解析または試験されて差し支えなく、光学的にまたは別の方法で測定されて差し支えなく、各センサの測定パラメータのそれぞれは、データベースまたはストレージ媒体に保存された所定の数値または数値範囲と比較され、ここで、所定の数値または数値範囲は、測定したセンサの測定数値が所定の数値または数値範囲に対応する場合に、センサ特性が、例えば、約５％以内、約３％以内、または約１％以内などの許容される変動係数（ＣＶ）以内であるとみなされるように、許容されると考えられる数値または数値範囲に対応する。特定のセンサに与えられた感度は、このように、ロットのサンプリング（すなわち、例えば、感度を決定するためのセンサロット内の各センサのサンプリング）を用いて感度を決定することなく、決定される。あるいは、これらの測定から決定される感度は、例えば、製造の間に検証手順の一環として、センサロットサンプルの平均感度とともに確認されうる。
【０１５４】
実施の形態は、記憶素子または記憶装置に保存されるデータベースまたは参照テーブルまたは別の方法として、ＣＧＭシステムの受信装置または送信装置にプログラム化したまたはプログラム可能な、最初のセンサ挿通から測定した各時間についての適切な調整または修正値を伴うように構成され、その後、センサの最初のインビボ使用から開始する、時間変化するドリフトプロファイルをさらに含み、参照テーブルにおける対応する値は回収され、センサ出力データがモニターされるグルコース濃度を代表するように、適用されるかまたは別の方法でセンサ感度に含まれる。
【０１５５】
ある特定の実施の形態では、較正パラメータまたはコードは、検体センサに物理的に接続した電子機器組立体の記憶装置またはデータ処理装置に負荷またはプログラム化される。較正パラメータまたはコードのプログラミングまたは負荷は、例えば、電子機器組立体の１つ以上のＣＯＭポートへの有線または無線接続を使用したシリアル・コマンドによって達成されうる。インビボ使用の間、１つの実施の形態では、受信機／制御装置ユニットは、電子機器組立体に問い合わせし、検体センサからの測定した未加工のセンサ信号を対応するグルコース値に変換するのに使用する電子機器組立体のメモリ装置または記憶装置に負荷またはプログラム化された較正パラメータまたはコードを取り出すように構成される。あるいは、センサ電子機器は、この変換を行うためのプログラミングを含んでもよい。
【０１５６】
センサがドリフトを示す（例えば、センサ感度が、ある特定の時間にわたり、予想されるパーセンテージをドリフトする）ある特定の実施の形態では、ドリフトプロファイルは、センサ信号に適用されうるドリフト修正因子を決定して、グルコース測定値（ｍｇ／ｄＬ）を得るために、モニタリング・システムのアルゴリズムによって定義されて差し支えない。少なくとも一部には、低い製造変動係数（ＣＶ）を生じる製造プロセスの高い再現性に起因して、単一のドリフト修正因子は、所定のセンサ製造ロットまたはバッチのすべてのセンサに使用されうる。
【０１５７】
したがって、本明細書の実施の形態に従った所定の製造ロットの各センサの感度は実質的に同一であることから、工場で決定された感度または較正パラメータは、このようなロットのすべてのセンサに提供して差し支えなく、すなわち、単一の較正アルゴリズムが所定のロットのすべてのセンサに使用されうる。１つの実施の形態では、この較正コードまたはパラメータは、モニタリング・システムのソフトウェアに、例えば、１つ以上の処理装置などにプログラム化されるか、プログラム可能である。例えば、工場で決定された較正パラメータまたはコードは、使用者にセンサを提供し、手動または自動で（例えば、バーコードおよびリーダーなどを介して）較正アルゴリズムにアップロードされて差し支えなく、または、検体モニタリング・システムのメモリ装置または記憶装置にあらかじめ格納される。センサ信号の較正は、システムの適切なハードウェア／ソフトウェアを使用して実行されうる。
【０１５８】
記載される方法では、本開示のさまざまな実施の形態に従って、インビボ使用の間に使用者がセンサ較正を行う必要がない、上述の方法で製造した検体センサを備えた持続検体モニタリング・システムが提供される。ある特定の態様では、検体センサは、少なくとも無視できるセンサ間の変動しか有さず、高度に再現可能であり、製造後および使用者に配置される前に実質的に安定なセンサプロファイルを示す。
【０１５９】
さらに、本開示の検体センサの実施の形態は、潜在的なインビボ変動を最小限に抑えるために、インビボ使用の間に決定される予測可能な感度ドリフトを含み、それによって、所定のセンサドリフトプロファイルのＣＧＭシステムのデータ処理装置または受信装置においてプログラム化したまたはプログラム可能な１つ以上の定義されたアルゴリズム（製造の間にまたは使用の間にプログラム化した）が 、使用者の較正の必要性を排除するためにＣＧＭシステムに対する修正または調整に適用される。このようなＣＧＭシステムに対する修正または調整は、センサ安定性プロファイルに対する調整および、インビボ使用の間にセンサから報告されるグルコース値の精度が臨床的に許容できる範囲内に維持されるように、演繹的に、またはＣＧＭシステムによって即時に決定される修正または調整プロファイルまたはテンプレートを適用するために、検体モニタリング・システムにおいてプログラム化したまたはプログラム可能な１つ以上のフィードバック・アルゴリズムを含みうる。このように、本開示のある特定の態様では、インビボセンサ使用の間に確認された血中グルコース濃度に対する間質のグルコース濃度の比における臨床的に有意な人間間の変動は、ＣＧＭシステムにおいてプログラム化された１つ以上のフィードバック・アルゴリズムまたはルーチンによって補償されうる。１つの態様では、１つ以上のフィードバック・アルゴリズムまたはルーチンは、検体モニタリング・システムの特定の使用者に関連する分析されおよびプロファイル化された情報が、検体モニタリング・システムのメモリ装置または記憶装置、あるいは他の場所に保存され、使用中にインビボセンサからの信号に使用または適用されるように、それぞれ特定の被験体または使用者について回収、分析およびプロファイル化されたインビボセンサ応答を含みうる。
【０１６０】
したがって、ある特定の実施の形態では、使用者またはシステムに基づく較正を必要としないインビボセンサは、製造の間または後にセンサ特性の変動を最小限に抑えることによって提供されて差し支えなく、これは、例えば、センサの画成された再現可能な活性領域を提供し、センサ膜厚および酵素安定性を調節し、さらには、相対湿度を調整することによって実質的に安定な製造後の環境を提供して、保管寿命の間に安定なセンサプロファイルを維持し、および構造体を包装し、例えば、製造後およびインビボ使用の前に実質的に負の環境影響に影響されない保存条件を提供することにより、達成される。
【０１６１】
１つの実施の形態では、検体センサは、
基板、
前記基板の少なくとも一部に配置された導電層、および
少なくとも前記導電層の遠位部の上に実質的に直角に配置されたセンシング層
を具備して差し支えなく、ここで、
センシング層の面積は、少なくとも、導電層の遠位部の面積程度である。
【０１６２】
導電層の遠位部は、導電層の近位部の幅よりも大きい幅を有しうる。
【０１６３】
導電層の遠位部は、基板の遠位端の近くで終了して差し支えない。
【０１６４】
別の実施の形態では、検体センサを製造する方法は、導電層の遠位部全体の上にセンシング層を配置する工程を含みうる。
【０１６５】
さらに別の実施の形態では、検体センサは、
基板、
前記基板の少なくとも一部に配置された導電層、および
前記導電層の少なくとも一部の上に実質的に直角に配置されたセンシング層
を具備して差し支えなく、ここで、前記センシング層の幅は実質的に連続的である。
【０１６６】
センシング層は、センシング材料のストリップまたはバンドを含んでいてもよい。
【０１６７】
導電層は、基板の遠位端にまで及びうる。
【０１６８】
導電層は、基板の遠位端の近くで終了しうる。
【０１６９】
１つの態様では、センサ間の感度変動は実質的になくてもよい。
【０１７０】
別の実施の形態では、検体センサを製造する方法は、センシング層を、実質的に一定の幅を有するストリップに配置する工程を含みうる。
【０１７１】
さらに別の実施の形態では、複数の検体センサを製造する方法は、
基板を提供し、
前記基板上に導電層を配置し、ここで、前記導電層は複数の電極を形成し、
前記センシング層を、複数の電極上の実質的に一定の幅を有するストリップに配置し、ここで、前記ストリップは、複数の電極のそれぞれに対して実質的に直角であり、
前記基板を複数のセンサ内へと個片切断する、
各工程を含みうる。
【０１７２】
さらに別の実施の形態では、検体センサは、 
基板、
前記基板の少なくとも一部に配置された導電層、
前記導電層の上に配置され、内部にに空隙またはウェルを有する誘電体層、および
前記空隙内に配置されたセンシング層
を具備しうる。
【０１７３】
空隙は、導電層の遠位部に位置してもよい。
【０１７４】
実施の形態は、定義された活性領域内に、および／またはセンサの遠位部に沿って、可変寸法を有する空隙またはウェルを含む。限定されない典型的な例として、空隙またはウェルは、円形の形状の中心が空隙の周囲部分と比較して深くなるように、円形の形状の中心に向かって徐々に変化する深さを有した、実質的に円形に成形されて差し支えなく、深さは、実質的に一定でありうるか、または、空隙またはウェルの周囲部分が円形の形状の中心と比較して相対的に深くなるように、円形の形状の中心から離れるにつれて徐々に変化してもよい。
【０１７５】
実施の形態はまた、円形、長方形、三角形または適しているであろう他の幾何学的形状を有する空隙またはウェルも含みうる。このような幾何学的形状のそれぞれは、空隙の幾何学的形状、寸法または長さに応じて、空隙またはウェルの体積、表面積、高さを含めた、１つ以上の寸法における変化をさらに含みうる。
【０１７６】
別の実施の形態では、検体センサを製造する方法は、
基板を提供し、
前記基板上に導電層を配置し、
前記導電層上に誘電体層を配置し、ここで、前記誘電体層は内部に空隙を有し、
センシング材料を前記空隙内に配置する、
各工程を含みうる。
【０１７７】
さらに別の実施の形態では、検体センサは、
長さおよび幅を有する埋入可能な部分を備えた基板、
基板の第１の側面の全体の長さおよび幅の上に配置された第１の伝導性経路、
基板の第２の側面の全体の長さおよび幅の上に配置された第２の伝導性経路、および
活性領域を画成する第１の伝導性経路の少なくとも一部の上に配置されたストリップを形成するセンシング材料、
を具備して差し支えなく、ここで、
前記センシング材料のストリップは基板の長さに対して実質的に直角である。
【０１７８】
基板は、移植不可能な部分をさらに備えていてもよく、センサは、移植不可能な部分の少なくとも一部の上に配置された第３の伝導性経路をさらに備える。
【０１７９】
第１の伝導性経路は、作用電極として機能して差し支えなく、第２の伝導性経路は、少なくとも、参照電極として機能する。
【０１８０】
第３の伝導性経路は、対電極として機能しうる。
【０１８１】
さらには、少なくとも１つの膜がセンシング材料の上に配置されてもよい。
【０１８２】
第１の膜は、センシング材料への検体の流束を調節しうる。
【０１８３】
第１の膜は、基板の埋入可能な部分の長さに対して実質的に直角に配置されたストリップの形態でセンシング材料上に配置されうる。
【０１８４】
第２の膜は、少なくとも基板の埋入可能な部分の上に、コンフォーマルコーティングを提供しうる。
【０１８５】
第２の伝導性経路は基板の埋入可能な部分の第２の側面の全表面領域を覆う一次層、および、前記一次層の少なくとも一部の上に配置されたストリップの形態の二次層を含んでもよく、ここで、前記二次層は基板の長さに対して実質的に直角である。
【０１８６】
基板幅は、約０．０５ｍｍ〜約０．６ｍｍの範囲であって差し支えなく、ここで、センシング材料の幅は、約０．０５ｍｍ〜約５ｍｍの範囲である。
【０１８７】
活性領域は、約０．００２５ｍｍ2〜約３ｍｍ2の範囲でありうる。
【０１８８】
さらには、誘電体層は、第１の伝導性経路の少なくとも一部の上に配置されうるが、センシング材料の少なくとも上面上には配置されない。
【０１８９】
誘電体層は、２つの間隔を空けた部分に提供されて差し支えなく、センシング材料は間隔を空けた部分間に配置される。
【０１９０】
別の実施の形態では、導電層とセンシング層の重複領域によって画成された、所望の表面積を有する活性領域を有する、検体センサを製造する方法は、 
導電材料を基板表面に配置して導電層を形成し、
前記導電層の少なくとも一部の上にセンシング材料を配置してセンシング層を形成し、
少なくとも前記センシング層の一部を除去して活性領域の所望の表面積を提供する、
各工程を含んで差し支えなく、ここで、
導電層とセンシング層の重複領域は、少なくとも、活性領域の所望の表面積と同等の大きさである。
【０１９１】
センシング層は、前記導電層の遠位部において前記導電層と重複しうる。
【０１９２】
センシング層の表面積は、少なくともセンシング層の一部を除去する前に、導電層の遠位部の表面積より大きくなりうる。
【０１９３】
導電層の遠位部の表面積は、少なくともセンシング層の一部を除去する前に、センシング層の表面積より大きくなりうる。
【０１９４】
センシング層の表面積と導電層の遠位部の表面積は、少なくともセンシング層の一部を除去する前に、実質的に同等であってもよい。
【０１９５】
センシング層の表面積と導電層の遠位部の表面積は、少なくともセンシング層の一部を除去した後に、互いに異なっていてもよい。
【０１９６】
センシング層の表面積と導電層の遠位部の表面積は、少なくともセンシング層の一部を除去した後に、実質的に同一であってもよい。
【０１９７】
センシング層の端の形状とおよび導電層の遠位部の形状は、少なくともセンシング層の一部を除去した後に、実質的に同一であってもよい。
【０１９８】
センシング層部分のみが除去されてもよい。
【０１９９】
除去されたセンシング層の端部は、前記導電層の遠位部の端を囲みうる。
【０２００】
さらには、本方法は、導電層部分を除去して活性領域の所望の表面積を提供する工程を含みうる。
【０２０１】
除去される導電層部分は、センシング層の端を囲みうる。
【０２０２】
除去されるセンシング層部分と除去される導電層部分は重複してもよい。
【０２０３】
センシング層部分および導電層部分は、同時に除去されうる。
【０２０４】
センサの製造の際に、検体センサの較正は行わなくてもよい。
【０２０５】
除去段階は、レーザー・トリミングを含みうる。
【０２０６】
使用するレーザーのパルス出力は、紫外線の範囲の波長を含みうる。
【０２０７】
波長は、約２６６ｎｍ〜約３５５ｎｍの範囲を含みうる。
【０２０８】
使用するレーザーは、超高速レーザーでありうる。
【０２０９】
使用するレーザーは、ダイオード励起固体レーザーでありうる。
【０２１０】
使用するレーザーは、ファイバーレーザーでありうる。
【０２１１】
１つの態様では、製造された複数の検体センサは、実質的なセンサ間の感度変動を含まなくてもよい。
【０２１２】
別の実施の形態では、持続検体モニタリング・システムとともに使用するための埋入可能な検体センサを提供する方法は、
センサのためのバッチ較正を行い、
前記バッチ較正したセンサを、乾燥剤を含む、気密封止された筺体内に包装する、
各工程を有していて差し支えなく、ここで、前記筺体は比較的低い水蒸気透過率を有する。
【０２１３】
さらには、本方法は、包装されたセンサを乾燥する工程をさらに含んでもよく、ここで、センサバッチ内におけるセンサ感度の変動係数は１０％以下である。
【０２１４】
センサバッチ内におけるセンサ感度の変動係数は、インビトロで５％以下でありうる。
【０２１５】
センサバッチ内におけるセンサ感度の変動係数は、インビボで１０％以下でありうる。
【０２１６】
さらには、本方法は、包装されたセンサを保管する工程を含んでもよく、ここで、センサを保管する包装内部の条件は約３０％のＲＨを含み、乾燥剤は少なくとも約１７％の吸収能を有する。
【０２１７】
包装されたセンサを保管する周囲条件は、約２５℃および約３０％のＲＨを含んで差し支えなく、ここで、乾燥剤は少なくとも約９０．０％の安全率を有する。
【０２１８】
実施の形態は、予測可能な保存寿命感度ドリフトを有するセンサを含む。
【０２１９】
実施の形態は、実質的に保存寿命感度ドリフトを有しないセンサを含む。
【０２２０】
実施の形態は、予測可能なインビボ感度ドリフトを有するセンサを含む。
【０２２１】
実施の形態は、実質的にインビボドリフトを有しないセンサを含む。
【０２２２】
実施の形態は、センサから乾燥剤を区画化することを含む、センサ包装工程を含む
別の実施の形態では、持続検体モニタリング・システムとともに使用するために同一の製造ロットから埋入可能な検体センサを提供する方法は、
センサバッチを較正し、ここで、センサ間の感度における変動係数が約５％であり、
前記バッチ較正したセンサを、それぞれ、乾燥剤を含む、気密封止された筺体内に個別に包装し、ここで、前記筺体は比較的低い水蒸気透過率を有する、
各工程を含みうる。
【０２２３】
実施の形態は、包装されたセンサを保管する工程を含み、ここで、包装されたセンサを保管する周囲条件は、約２５℃および約３０％のＲＨを含んで差し支えなく、乾燥剤は、少なくとも約１７．５％の吸収能を有しうる。
【０２２４】
包装されたセンサを保管する周囲条件は、約２５℃および約３０％のＲＨを含んで差し支えなく、ここで、乾燥剤は、少なくとも約９０．０％の安全率を有する。
【０２２５】
実施の形態は、
基板、
前記基板の少なくとも一部に配置された導電層、
前記導電層上に配置された、内部に空隙を有する誘電体層、および
前記空隙内に配置されたセンシング層を備えた検体センサ
を備え、ここで、
前記導電層と接触した前記センシング層の領域は、センサロット内で、およそ５％未満のセンサ間変動係数を有する。
【０２２６】
実施の形態は、センサロット内で、およそ３％未満の変動係数を含む。
【０２２７】
実施の形態は、導電層と接触したセンシング層の領域上に配置された膜をさらに含み、ここで、前記膜は、センサロット内で、およそ５％未満のセンサ間変動係数を有する規定厚さを有する。
【０２２８】
実施の形態は、実質的に均一な厚さを有する、導電層と接触したセンシング層の領域上に配置された膜を含む。
【０２２９】
実施の形態は、実質的に均一な分布(uniform distribution)を有する、導電層と接触したセンシング層の領域上に配置された膜を含む。
【０２３０】
実施の形態は、低い酸素透過性を有する膜を含む。
【０２３１】
実施の形態は、センサの活性領域を実質的に画成する、導電層と接触したセンシング層の領域を含む。
【０２３２】
実施の形態は、導電層の遠位部に位置する空隙を含む。
【０２３３】
実施の形態は、検体センサの作用電極.の少なくとも一部を画成するセンシング層と接触する導電層を含む。
【０２３４】
実施の形態は、ガラス状炭素、グラファイト、銀、塩化銀、白金、パラジウム、白金イリジウム、チタニウム、金または、イリジウムのうち１種類以上を含む導電層を含む。
【０２３５】
実施の形態は、光画像形成性のポリマー材料を含む誘電体層を含む。
【０２３６】
実施の形態は、導電層および前記基板の少なくとも一部に配置された光画像形成性のフィルムを含む誘電体層を含む。
【０２３７】
実施の形態は、光リソグラフィ法によって形成された空隙を含む。
【０２３８】
実施の形態は、空隙に配置されたグルコース流制限層、干渉層または生体適合層のうち１つ以上をさらに含む。
【０２３９】
実施の形態は、約０．０１ｍｍ2〜約１．０ｍｍ2である、導電層と接触したセンシング層の領域を含む。
【０２４０】
実施の形態は、約０．０４ｍｍ2〜約０．３６ｍｍ2である、導電層と接触したセンシング層の領域を含む。
【０２４１】
実施の形態は、実質的に一定な、基板上の導電層と接触したセンシング層の表面積を含む。
【０２４２】
実施の形態は、実質的に一定な、誘電体層に形成された空隙の寸法を含む。
【０２４３】
別の実施の形態では、検体センサは、
遠位部を有する基板、
前記基板の遠位部の少なくとも一部に配置された導電層、
前記導電層上に配置された、前記空隙の位置が、前記基板の遠位部および前記空隙内に配置されたセンシング層と一致するように内部に空隙を有する誘電体層
を備え、ここで、
前記導電層と接触した前記センシング層の領域は、センサロット内でおよそ５％未満のセンサ間変動係数を有し、
前記基板の遠位部は、所定の時間、間質液との流体接触を維持する。
【０２４４】
実施の形態は、約３日間以上の所定時間を含む。
【０２４５】
実施の形態は、所定の時間、間質液と流体接触する検体センサの作用電極の少なくとも一部を画成する、導電層と接触したセンシング層の領域を含む。
【０２４６】
実施の形態は、導電層と接触したセンシング層の領域上に配置された膜をさらに備える検体センサを含み、ここで、前記膜は、センサロット内でおよそ５％未満のセンサ間変動係数を有する規定厚さを有する。
【０２４７】
実施の形態は、実質的に均一な厚さを有する、導電層と接触したセンシング層の領域上に配置された膜を含む。
【０２４８】
実施の形態は、実質的に均一な分布を有する、導電層と接触したセンシング層の領域上に配置された膜を含む。
【０２４９】
実施の形態は、センサロットにおけるセンサ間で実質的に一定な、基板上の導電層と接触したセンシング層の表面積を含む。
【０２５０】
実施の形態は、センサロットにおけるセンサ間で実質的に一定な、誘電体層に形成された空隙の寸法を含む。
【０２５１】
実施の形態は、空隙に配置されたグルコース流制限層、干渉層または生体適合層のうち１つ以上をさらに含む。
【０２５２】
本開示の実施の形態の構造および操作方法における、さまざまな他の改変および変更は、本開示の範囲および精神から逸脱することなく、当業者には明らかであろう。本開示は、ある特定の実施の形態に関して説明しているが、特許請求の範囲に記載される本開示は、このような実施の形態に過度に限定されるべきではなく、以下の請求項が本開示の範囲を定義し、したがって、特許請求の範囲およびそれらの等価物の範囲内の構造および方法にも及ぶことが意図されていることが理解されるべきである。
【参照による取り込み】
【０２５３】
以下の特許、特許出願、および／または公報は、すべての目的において、参照することによって本明細書に援用される：米国特許第４，５４５，３８２号；同第４，７１１，２４５号；同第５，２６２，０３５号；同第５，２６２，３０５号；同第５，２６４，１０４号；同第５，３２０，７１５号；同第５，５０９，４１０号；同第５，５４３，３２６号；同第５，５９３，８５２号；同第５，６０１，４３５号；同第５，６２８，８９０号；同第５，８２０，５５１号；同第５，８２２，７１５号；同第５，８９９，８５５号；同第５，９１８，６０３号；同第６，０７１，３９１号；同第６，１０３，０３３号；同第６，１２０，６７６号；同第６，１２１，００９号；同第６，１３４，４６１号；同第６，１４３，１６４号；同第６，１４４，８３７号；同第６，１６１，０９５号；同第６，１７５，７５２号；同第６，２７０，４５５号；同第６，２８４，４７８号；同第６，２９９，７５７号；同第６，３３８，７９０号；同第６，３７７，８９４号；同第６，４６１，４９６号；同第６，５０３，３８１号；同第６，５１４，４６０号；同第６，５１４，７１８号；同第６，５４０，８９１号；同第６，５６０，４７１号；同第６，５７９，６９０号；同第６，５９１，１２５号；同第６，５９２，７４５号；同第６，６００，９９７号；同第６，６０５，２００号；同第６，６０５，２０１号；同第６，６１６，８１９号；同第６，６１８，９３４号；同第６，６５０，４７１号；同第６，６５４，６２５号；同第６，６７６，８１６号；同第６，６７６，８１９号；同第６，７３０，２００号；同第６，７３６，９５７号；同第６，７４６，５８２号；同第。６，７４９，７４０号；同第６，７６４，５８１号；同第６，７７３，６７１号；同第６，８８１，５５１号；同第６，８９３，５４５号；同第６，９３２，８９２号；同第６，９３２，８９４号；同第６，９４２，５１８号；同第７，１６７，８１８号；および同第７，２９９，０８２号の各明細書；米国特許出願公開第２００４／０１８６３６５号；同第２００５／０１８２３０６号；同第２００７／００５６８５８号；同第２００７／００６８８０７号；同第２００７／０２２７９１１号；同第２００７／０２３３０１３号；同第２００８／００８１９７７号；同第２００８／０１６１６６６；および２００９／００５４７４８号の各明細書；米国特許出願第１２／１３１，０１２号；同第１２／２４２，８２３号；同第１２／３６３，７１２号；同第１２，６９８，１２４；および１２／９８１，１２９；および米国仮特許出願第６１／１４９，６３９号；同第６１／１５５，８８９号；同第６１／１５５，８９１号；同第６１／１５５，８９３号；同第６１／１６５，４９９号；同第６１／２３０，６８６号；同第６１／２２７，９６７および６１／２３８，４６１号の各明細書。
【図１】
2018029983.tif 000003
【図２】
2018029983.tif 000004
【図３】
2018029983.tif 000005
【図４】
2018029983.tif 000006
【図５】
2018029983.tif 000007
【図６】
2018029983.tif 000008
【図７】
2018029983.tif 000009
【図８】
2018029983.tif 000010
【図９】
2018029983.tif 000011
【図１０】
2018029983.tif 000012
【図１１】
2018029983.tif 000013
【図１２】
2018029983.tif 000014
【図１３】
2018029983.tif 000015
【図１４】
2018029983.tif 000016
【図１５】
2018029983.tif 000017
【図１６】
2018029983.tif 000018
【図１７】
2018029983.tif 000019
【図１８】
2018029983.tif 000020
【図１９】
2018029983.tif 000021
【図２０】
2018029983.tif 000022
【図２１】
2018029983.tif 000023
【図２２】
2018029983.tif 000024
【図２３】
2018029983.tif 000025
【図２４】
2018029983.tif 000026
【図２５】
2018029983.tif 000027